(57)【特許請求の範囲】
【請求項１】
ユーザ機器（ＵＥ）のワイヤレス通信の方法であって、
複数のコンポーネントキャリアのために構成されたアップリンクタイミンググループの数を決定することと、
前記アップリンクタイミンググループの数に少なくとも部分的に基づいて、前記複数のコンポーネントキャリアのうちの１つまたは複数の第２のコンポーネントキャリア上の第２のシンボル中でサウンディング基準信号（ＳＲＳ）と同時に、前記複数のコンポーネントキャリアのうちの１つまたは複数の第１のコンポーネントキャリア上の第１のシンボル中でデータまたは制御情報のうちの少なくとも１つを送信すべきかどうかを決定することと、前記第２のシンボルは、前記第１のシンボルとオーバーラップする、
前記第１のシンボル中で前記データまたは前記制御情報のうちの前記少なくとも１つを送信することと、
前記アップリンクタイミンググループの数が２以上であると決定され、前記ＵＥが前記第１および第２のシンボルのオーバーラップ部分において電力制限されるとき、前記第２のシンボル中で前記ＳＲＳを送信するのを控えることと、
を備える、ワイヤレス通信の方法。
【請求項２】
前記アップリンクタイミンググループの数は上位レイヤシグナリング構成に基づいて決定される、請求項１に記載の方法。
【請求項３】
ただ１つのアップリンクタイミンググループが決定され、
前記データまたは前記制御情報のうちの前記少なくとも１つが前記１つまたは複数の第１のコンポーネントキャリア上の前記シンボル中で送信されないとき、前記１つまたは複数の第２のコンポーネントキャリア上のシンボル中で前記ＳＲＳを送信することと、
前記データまたは前記制御情報のうちの前記少なくとも１つが前記１つまたは複数の第１のコンポーネントキャリア上の前記シンボル中で送信されるとき、前記１つまたは複数の第２のコンポーネントキャリア上の前記シンボル中で前記ＳＲＳを送信するのを控えることと、をさらに備える、請求項１に記載の方法。
【請求項４】
少なくとも２つのアップリンクタイミンググループが決定され、
前記１つまたは複数の第１のコンポーネントキャリアと前記１つまたは複数の第２のコンポーネントキャリアとが異なるコンポーネントキャリアを備えるとき、前記１つまたは複数の第１のコンポーネントキャリア上でデータまたは制御情報のうちの少なくとも１つと同時に、前記１つまたは複数の第２のコンポーネントキャリア上でＳＲＳを送信することをさらに備える、請求項１に記載の方法。
【請求項５】
前記１つまたは複数の第１のコンポーネントキャリアと前記１つまたは複数の第２のコンポーネントキャリアとが同じアップリンクタイミンググループに関連する、請求項４に記載の方法。
【請求項６】
前記１つまたは複数の第１のコンポーネントキャリアと前記１つまたは複数の第２のコンポーネントキャリアとが異なるアップリンクタイミンググループに関連する、請求項４に記載の方法。
【請求項７】
前記１つまたは複数の第２のコンポーネントキャリア上で前記ＳＲＳと同時に、前記１つまたは複数の第１のコンポーネントキャリア上で前記データまたは前記制御情報のうちの前記少なくとも１つを送信すべきかどうかを前記決定することは、ユーザ機器（ＵＥ）が、前記ＳＲＳと同時に前記データまたは前記制御情報のうちの前記少なくとも１つを送信するのに電力制限されるかどうかにさらに基づく、請求項４に記載の方法。
【請求項８】
前記ＵＥが電力制限されないとき、前記ＳＲＳと前記データまたは前記制御情報のうちの前記少なくとも１つとを同時に送信することと、
前記ＵＥが電力制限されるとき、前記ＳＲＳと前記データまたは前記制御情報のうちの前記少なくとも１つとを同時に送信するのを控えることと、をさらに備える、請求項７に記載の方法。
【請求項９】
前記アップリンクタイミンググループの数が２以上であると決定され、前記ＵＥが前記第１および第２のシンボルのオーバーラップ部分において電力制限されないとき、前記第１のシンボル中で前記データまたは前記制御情報のうちの前記少なくとも１つと同時に、第２のシンボル中で前記ＳＲＳを送信することを備える、請求項１に記載の方法。
【請求項１０】
複数のコンポーネントキャリアのために構成されたアップリンクタイミンググループの数を決定することと、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定することと、
前記１つまたは複数の第１のコンポーネントキャリアに関連するアップリンクタイミングと前記１つまたは複数の第２のコンポーネントキャリアに関連するアップリンクタイミングとの間の差を示す情報を発展型ノードＢ（ｅＮＢ）に送信することと
を備える、ワイヤレス通信の方法。
【請求項１１】
複数のコンポーネントキャリアのために構成されたアップリンクタイミンググループの数を決定することと、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定することと、
前記複数のコンポーネントキャリアのうちの少なくとも１つのためのタイミングアドバンスコマンドを受信することと、
前記タイミングアドバンスコマンドが適用される場合の、前記１つまたは複数の第１のコンポーネントキャリアのアップリンクタイミングと前記１つまたは複数の第２のコンポーネントキャリアのアップリンクタイミングとの間の差に基づいて、前記タイミングアドバンスコマンドを適用すべきかどうかを決定することと、
を備える、ワイヤレス通信の方法。
【請求項１２】
前記タイミングアドバンスコマンドは前記１つまたは複数の第１のコンポーネントキャリアのためのものであり、
前記１つまたは複数の第１のコンポーネントキャリアのアップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の差がしきい値よりも大きいとき、前記１つまたは複数の第２のコンポーネントキャリアのアップリンクタイミングをシフトすることと、
をさらに備え、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第２のコンポーネントキャリアの前記アップリンクタイミングはシフトされる、
請求項１１に記載の方法。
【請求項１３】
受信された前記タイミングアドバンスコマンドは前記１つまたは複数の第１のコンポーネントキャリアのためのものであり、
前記１つまたは複数の第１のコンポーネントキャリアの前記アップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングをシフトすることと、
をさらに備え、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングはシフトされる、
請求項１１に記載の方法。
【請求項１４】
前記１つまたは複数の第１のコンポーネントキャリアと前記１つまたは複数の第２のコンポーネントキャリアの両方のためのタイミングアドバンスコマンドが受信され、
前記１つまたは複数の第１のコンポーネントキャリアの前記アップリンクタイミングに前記１つまたは複数の第１のコンポーネントキャリアのための前記タイミングアドバンスコマンドを適用することと、
前記１つまたは複数の第２のコンポーネントキャリアの前記アップリンクタイミングに前記１つまたは複数の第２のコンポーネントキャリアのための前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングと前記１つまたは複数の第２のコンポーネントキャリアの前記アップリンクタイミングとのうちの少なくとも１つをシフトすることと、
をさらに備え、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングと前記１つまたは複数の第２のコンポーネントキャリアの前記アップリンクタイミングとのうちの前記少なくとも１つがシフトされる、
請求項１１に記載の方法。
【請求項１５】
前記１つまたは複数の第１のコンポーネントキャリアの前記アップリンクタイミングと前記１つまたは複数の第２のコンポーネントキャリアの前記アップリンクタイミングとの間の前記差が前記しきい値よりも大きいとき、前記１つまたは複数の第２のコンポーネントキャリアの前記アップリンクタイミングのみがシフトされる、請求項１４に記載の方法。
【請求項１６】
ユーザ機器（ＵＥ）のワイヤレス通信のための装置であって、
複数のコンポーネントキャリアのために構成されたアップリンクタイミンググループの数を決定する手段と、
前記アップリンクタイミンググループの数に少なくとも部分的に基づいて、前記複数のコンポーネントキャリアのうちの１つまたは複数の第２のコンポーネントキャリア上の第２のシンボル中でサウンディング基準信号（ＳＲＳ）と同時に、前記複数のコンポーネントキャリアのうちの１つまたは複数の第１のコンポーネントキャリア上の第１のシンボル中でデータまたは制御情報のうちの少なくとも１つを送信すべきかどうかを決定する手段と、前記第２のシンボルは、前記第１のシンボルとオーバーラップする、
前記第１のシンボル中で前記データまたは前記制御情報のうちの前記少なくとも１つを送信する手段と、
前記アップリンクタイミンググループの数が２以上であると決定され、前記ＵＥが前記第１および第２のシンボルのオーバーラップ部分において電力制限されるとき、前記第２のシンボル中で前記ＳＲＳを送信するのを控える手段と、
を備える、ワイヤレス通信のための装置。
【請求項１７】
前記アップリンクタイミンググループの数は上位レイヤシグナリング構成に基づいて決定される、請求項１６に記載の装置。
【請求項１８】
ただ１つのアップリンクタイミンググループが決定され、
前記データまたは前記制御情報のうちの前記少なくとも１つが前記１つまたは複数の第１のコンポーネントキャリア上の前記シンボル中で送信されないとき、前記１つまたは複数の第２のコンポーネントキャリア上のシンボル中で前記ＳＲＳを送信する手段をさらに備え、
前記ＳＲＳを送信する前記手段は、前記データまたは前記制御情報のうちの前記少なくとも１つが前記１つまたは複数の第１のコンポーネントキャリア上の前記シンボル中で送信されたとき、前記１つまたは複数の第２のコンポーネントキャリア上の前記シンボル中で前記ＳＲＳを送信するのを控えるように構成された、請求項１６に記載の装置。
【請求項１９】
少なくとも２つのアップリンクタイミンググループが決定され、
前記１つまたは複数の第１のコンポーネントキャリアと前記１つまたは複数の第２のコンポーネントキャリアとが異なるコンポーネントキャリアを備えるとき、前記１つまたは複数の第１のコンポーネントキャリア上でデータまたは制御情報のうちの少なくとも１つと同時に、前記１つまたは複数の第２のコンポーネントキャリア上で前記ＳＲＳを送信する手段をさらに備える、請求項１６に記載の装置。
【請求項２０】
前記１つまたは複数の第１のコンポーネントキャリアと前記１つまたは複数の第２のコンポーネントキャリアとが同じアップリンクタイミンググループに関連する、請求項１９に記載の装置。
【請求項２１】
前記１つまたは複数の第１のコンポーネントキャリアと前記１つまたは複数の第２のコンポーネントキャリアとが異なるアップリンクタイミンググループに関連する、請求項１９に記載の装置。
【請求項２２】
前記１つまたは複数の第２のコンポーネントキャリア上で前記ＳＲＳと同時に、前記１つまたは複数の第１のコンポーネントキャリア上で前記データまたは前記制御情報のうちの前記少なくとも１つを送信すべきかどうかを決定する前記手段は、ユーザ機器（ＵＥ）が、前記ＳＲＳと同時に前記データまたは前記制御情報のうちの前記少なくとも１つを送信するのに電力制限されるかどうかにさらに基づく、請求項１９に記載の装置。
【請求項２３】
前記ＳＲＳを送信する前記手段は、
前記ＵＥが電力制限されないとき、前記ＳＲＳと前記データまたは前記制御情報のうちの前記少なくとも１つとを同時に送信することと、
前記ＵＥが電力制限されるとき、前記ＳＲＳと前記データまたは前記制御情報のうちの前記少なくとも１つとを同時に送信するのを控えることとを行うように構成された、請求項２２に記載の装置。
【請求項２４】
複数のコンポーネントキャリアのために構成されたアップリンクタイミンググループの数を決定する手段と、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定する手段と、
前記１つまたは複数の第１のコンポーネントキャリアに関連するアップリンクタイミングと前記１つまたは複数の第２のコンポーネントキャリアに関連するアップリンクタイミングとの間の差を示す情報を発展型ノードＢ（ｅＮＢ）に送信する手段と、
を備える、ワイヤレス通信のための装置。
【請求項２５】
複数のコンポーネントキャリアのために構成されたアップリンクタイミンググループの数を決定する手段と、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定する手段と、
前記複数のコンポーネントキャリアのうちの少なくとも１つのためのタイミングアドバンスコマンドを受信する手段と、
前記タイミングアドバンスコマンドが適用される場合の、前記１つまたは複数の第１のコンポーネントキャリアのアップリンクタイミングと前記１つまたは複数の第２のコンポーネントキャリアのアップリンクタイミングとの間の差に基づいて、前記タイミングアドバンスコマンドを適用すべきかどうかを決定する手段と、
を備える、ワイヤレス通信のための装置。
【請求項２６】
前記タイミングアドバンスコマンドは前記１つまたは複数の第１のコンポーネントキャリアのためのものであり、
前記タイミングアドバンスコマンドを適用すべきかどうかを決定する前記手段は、
前記１つまたは複数の第１のコンポーネントキャリアのアップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の差がしきい値よりも大きいとき、前記１つまたは複数の第２のコンポーネントキャリアのアップリンクタイミングをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第２のコンポーネントキャリアの前記アップリンクタイミングはシフトされる、
請求項２５に記載の装置。
【請求項２７】
受信された前記タイミングアドバンスコマンドは前記１つまたは複数の第１のコンポーネントキャリアのためのものであり、
前記タイミングアドバンスコマンドを適用すべきかどうかを決定する前記手段は、
前記１つまたは複数の第１のコンポーネントキャリアの前記アップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングはシフトされる、
請求項２５に記載の装置。
【請求項２８】
前記１つまたは複数の第１のコンポーネントキャリアと前記１つまたは複数の第１のコンポーネントキャリアの両方のためのタイミングアドバンスコマンドが受信され、
前記タイミングアドバンスコマンドを適用すべきかどうかを決定する前記手段は、
前記１つまたは複数の第１のコンポーネントキャリアの前記アップリンクタイミングに前記１つまたは複数の第１のコンポーネントキャリアのための前記タイミングアドバンスコマンドを適用することと、
前記１つまたは複数の第２のコンポーネントキャリアの前記アップリンクタイミングに前記１つまたは複数の第２のコンポーネントキャリアのための前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングと前記１つまたは複数の第２のコンポーネントキャリアの前記アップリンクタイミングとのうちの少なくとも１つをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングと前記１つまたは複数の第２のコンポーネントキャリアの前記アップリンクタイミングとのうちの前記少なくとも１つがシフトされる、
請求項２５に記載の装置。
【請求項２９】
前記１つまたは複数の第１のコンポーネントキャリアの前記アップリンクタイミングと前記１つまたは複数の第２のコンポーネントキャリアの前記アップリンクタイミングとの間の前記差が前記しきい値よりも大きいとき、前記１つまたは複数の第２のコンポーネントキャリアの前記アップリンクタイミングのみがシフトされる、請求項２８に記載の装置。
【請求項３０】
ユーザ機器（ＵＥ）のワイヤレス通信のための装置であって、
メモリと、
前記メモリに結合された少なくとも１つのプロセッサとを備え、前記少なくとも１つのプロセッサは、
複数のコンポーネントキャリアのために構成されたアップリンクタイミンググループの数を決定することと、
前記アップリンクタイミンググループの数に少なくとも部分的に基づいて、前記複数のコンポーネントキャリアのうちの１つまたは複数の第２のコンポーネントキャリア上の第２のシンボル中でサウンディング基準信号（ＳＲＳ）と同時に、前記複数のコンポーネントキャリアのうちの１つまたは複数の第１のコンポーネントキャリア上の第１のシンボル中でデータまたは制御情報のうちの少なくとも１つを送信すべきかどうかを決定することと、前記第２のシンボルは、前記第１のシンボルとオーバーラップする、
前記第１のシンボル中で前記データまたは前記制御情報のうちの前記少なくとも１つを送信することと、
前記アップリンクタイミンググループの数が２以上であると決定され、前記ＵＥが前記第１および第２のシンボルのオーバーラップ部分において電力制限されるとき、前記第２のシンボル中で前記ＳＲＳを送信するのを控えることと、
を行うように構成された、ワイヤレス通信のための装置。
【請求項３１】
前記アップリンクタイミンググループの数が上位レイヤシグナリング構成に基づいて決定される、請求項３０に記載の装置。
【請求項３２】
ただ１つのアップリンクタイミンググループが決定され、
前記処理システムは、前記データまたは前記制御情報のうちの前記少なくとも１つが前記１つまたは複数の第１のコンポーネントキャリア上の前記シンボル中で送信されないとき、前記１つまたは複数の第２のコンポーネントキャリア上のシンボル中で前記ＳＲＳを送信するように構成され、
前記処理システムは、前記データまたは前記制御情報のうちの前記少なくとも１つが前記１つまたは複数の第１のコンポーネントキャリア上の前記シンボル中で送信されるとき、前記１つまたは複数の第２のコンポーネントキャリア上の前記シンボル中で前記ＳＲＳを送信するのを控えるように構成された、請求項３０に記載の装置。
【請求項３３】
少なくとも２つのアップリンクタイミンググループが決定され、
前記処理システムは、前記１つまたは複数の第１のコンポーネントキャリアと前記１つまたは複数の第２のコンポーネントキャリアとが異なるコンポーネントキャリアを備えるとき、前記１つまたは複数の第１のコンポーネントキャリア上でデータまたは制御情報のうちの少なくとも１つと同時に、前記１つまたは複数の第２のコンポーネントキャリア上で前記ＳＲＳを送信するように構成された、請求項３０に記載の装置。
【請求項３４】
前記１つまたは複数の第１のコンポーネントキャリアと前記１つまたは複数の第２のコンポーネントキャリアとが同じアップリンクタイミンググループに関連する、請求項３３に記載の装置。
【請求項３５】
前記１つまたは複数の第１のコンポーネントキャリアと前記１つまたは複数の第２のコンポーネントキャリアとが異なるアップリンクタイミンググループに関連する、請求項３３に記載の装置。
【請求項３６】
前記処理システムは、ユーザ機器（ＵＥ）が、前記ＳＲＳと同時に前記データまたは前記制御情報のうちの前記少なくとも１つを送信するのに電力制限されるかどうかにさらに基づいて、前記１つまたは複数の第２のコンポーネントキャリア上で前記ＳＲＳと同時に、前記１つまたは複数の第１のコンポーネントキャリア上で前記データまたは前記制御情報のうちの前記少なくとも１つを送信すべきかどうかを決定するように構成された、請求項３３に記載の装置。
【請求項３７】
前記処理システムは、
前記ＵＥが電力制限されないとき、前記ＳＲＳと前記データまたは前記制御情報のうちの前記少なくとも１つとを同時に送信することと、
前記ＵＥが電力制限されるとき、前記ＳＲＳと前記データまたは前記制御情報のうちの前記少なくとも１つとを同時に送信するのを控えることと、
を行うように構成された、請求項３６に記載の装置。
【請求項３８】
メモリと、
前記メモリに結合された少なくとも１つのプロセッサとを備え、前記少なくとも１つのプロセッサは、
複数のコンポーネントキャリアのために構成されたアップリンクタイミンググループの数を決定することと、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定することと、
前記１つまたは複数の第１のコンポーネントキャリアに関連するアップリンクタイミングと前記１つまたは複数の第２のコンポーネントキャリアに関連するアップリンクタイミングとの間の差を示す情報を発展型ノードＢ（ｅＮＢ）に送信することと、
を行うように構成された、ワイヤレス通信のための装置。
【請求項３９】
メモリと、
前記メモリに結合された少なくとも１つのプロセッサとを備え、前記少なくとも１つのプロセッサは、
複数のコンポーネントキャリアのために構成されたアップリンクタイミンググループの数を決定することと、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定することと、
前記複数のコンポーネントキャリアのうちの少なくとも１つのためのタイミングアドバンスコマンドを受信することと、
前記タイミングアドバンスコマンドが適用される場合の、前記１つまたは複数の第１のコンポーネントキャリアのアップリンクタイミングと前記１つまたは複数の第２のコンポーネントキャリアのアップリンクタイミングとの間の差に基づいて、前記タイミングアドバンスコマンドを適用すべきかどうかを決定することと、
を行うように構成された、ワイヤレス通信のための装置。
【請求項４０】
前記タイミングアドバンスコマンドは前記１つまたは複数の第１のコンポーネントキャリアのためのものであり、
前記処理システムは、
前記１つまたは複数の第１のコンポーネントキャリアのアップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の差がしきい値よりも大きいとき、前記１つまたは複数の第２のコンポーネントキャリアのアップリンクタイミングをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第２のコンポーネントキャリアの前記アップリンクタイミングがシフトされる、
請求項３９に記載の装置。
【請求項４１】
受信された前記タイミングアドバンスコマンドは前記１つまたは複数の第１のコンポーネントキャリアのためのものであり、
前記処理システムは、
前記１つまたは複数の第１のコンポーネントキャリアの前記アップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングはシフトされる、
請求項３９に記載の装置。
【請求項４２】
前記１つまたは複数の第１のコンポーネントキャリアと前記１つまたは複数の第１のコンポーネントキャリアの両方のためのタイミングアドバンスコマンドが受信され、
前記処理システムは、
前記１つまたは複数の第１のコンポーネントキャリアの前記アップリンクタイミングに前記１つまたは複数の第１のコンポーネントキャリアのための前記タイミングアドバンスコマンドを適用することと、
前記１つまたは複数の第２のコンポーネントキャリアの前記アップリンクタイミングに前記１つまたは複数の第２のコンポーネントキャリアのための前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングと前記１つまたは複数の第２のコンポーネントキャリアの前記アップリンクタイミングとのうちの少なくとも１つをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングと前記１つまたは複数の第２のコンポーネントキャリアの前記アップリンクタイミングとのうちの前記少なくとも１つはシフトされる、
請求項３９に記載の装置。
【請求項４３】
前記１つまたは複数の第１のコンポーネントキャリアの前記アップリンクタイミングと前記１つまたは複数の第２のコンポーネントキャリアの前記アップリンクタイミングとの間の前記差が前記しきい値よりも大きいとき、前記１つまたは複数の第２のコンポーネントキャリアの前記アップリンクタイミングのみがシフトされる、請求項４２に記載の装置。
【請求項４４】
ユーザ機器（ＵＥ）のコンピュータ可読記憶媒体であって、
少なくとも１つのプロセッサで実行されたとき、前記少なくとも１つのプロセッサに、
複数のコンポーネントキャリアのために構成されたアップリンクタイミンググループの数を決定し、
前記アップリンクタイミンググループの数に少なくとも部分的に基づいて、前記複数のコンポーネントキャリアのうちの１つまたは複数の第２のコンポーネントキャリア上の第２のシンボル中でサウンディング基準信号（ＳＲＳ）と同時に、前記複数のコンポーネントキャリアのうちの１つまたは複数の第１のコンポーネントキャリア上の第１のシンボル中でデータまたは制御情報のうちの少なくとも１つを送信すべきかどうかを決定し、前記第２のシンボルは、前記第１のシンボルとオーバーラップする、
前記第１のシンボル中で前記データまたは前記制御情報のうちの前記少なくとも１つを送信し、
前記アップリンクタイミンググループの数が２以上であると決定され、前記ＵＥが前記第１および第２のシンボルのオーバーラップ部分において電力制限されるとき、前記第２のシンボル中で前記ＳＲＳを送信するのを控える
動作を実行させるコードを記憶する、コンピュータ可読記憶媒体。
【請求項４５】
前記アップリンクタイミンググループの数が上位レイヤシグナリング構成に基づいて決定される、請求項４４に記載のコンピュータ可読記憶媒体。
【請求項４６】
ただ１つのアップリンクタイミンググループが決定され、
前記コンピュータ可読媒体は、前記少なくとも１つのプロセッサで実行されたとき、前記少なくとも１つのプロセッサに、
前記データまたは前記制御情報のうちの前記少なくとも１つが前記１つまたは複数の第１のコンポーネントキャリア上の前記シンボル中で送信されないとき、前記１つまたは複数の第２のコンポーネントキャリア上のシンボル中で前記ＳＲＳを送信し、
前記データまたは前記制御情報のうちの前記少なくとも１つが前記１つまたは複数の第１のコンポーネントキャリア上の前記シンボル中で送信されるとき、前記１つまたは複数の第２のコンポーネントキャリア上の前記シンボル中で前記ＳＲＳを送信するのを控える
動作を実行させるコードをさらに記憶する、請求項４４に記載のコンピュータ可読記憶媒体。
【請求項４７】
少なくとも２つのアップリンクタイミンググループが決定され、
前記１つまたは複数の第１のコンポーネントキャリアと前記１つまたは複数の第２のコンポーネントキャリアとが異なるコンポーネントキャリアを備えるとき、前記１つまたは複数の第１のコンポーネントキャリア上でデータまたは制御情報のうちの少なくとも１つと同時に、前記１つまたは複数の第２のコンポーネントキャリア上でＳＲＳを送信することをさらに記憶する、請求項４４に記載のコンピュータ可読記憶媒体。
【請求項４８】
前記１つまたは複数の第１のコンポーネントキャリアと前記１つまたは複数の第２のコンポーネントキャリアとが同じアップリンクタイミンググループに関連する、請求項４７に記載のコンピュータ可読記憶媒体。
【請求項４９】
前記１つまたは複数の第１のコンポーネントキャリアと前記１つまたは複数の第２のコンポーネントキャリアとが異なるアップリンクタイミンググループに関連する、請求項４７に記載のコンピュータ可読記憶媒体。
【請求項５０】
前記１つまたは複数の第２のコンポーネントキャリア上で前記ＳＲＳと同時に、前記１つまたは複数の第１のコンポーネントキャリア上で前記データまたは前記制御情報のうちの前記少なくとも１つを送信すべきかどうかを決定することは、ユーザ機器（ＵＥ）が、前記ＳＲＳと同時に前記データまたは前記制御情報のうちの前記少なくとも１つを送信するのに電力制限されるかどうかにさらに基づく、請求項４７に記載のコンピュータ可読記憶媒体。
【請求項５１】
前記コンピュータ可読記憶媒体は、前記少なくとも１つのプロセッサで実行されたとき、前記少なくとも１つのプロセッサに、
前記ＵＥが電力制限されないとき、前記ＳＲＳと前記データまたは前記制御情報のうちの前記少なくとも１つとを同時に送信し、
前記ＵＥが電力制限されるとき、前記ＳＲＳと前記データまたは前記制御情報のうちの前記少なくとも１つとを同時に送信するのを控える
動作を実行させるコードをさらに記憶する、請求項５０に記載のコンピュータ可読記憶媒体。
【請求項５２】
ユーザ機器（ＵＥ）のコンピュータ可読記憶媒体であって、
少なくとも１つのプロセッサで実行されたとき、前記少なくとも１つのプロセッサに、
複数のコンポーネントキャリアのために構成されたアップリンクタイミンググループの数を決定し、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定し、
前記１つまたは複数の第１のコンポーネントキャリアに関連するアップリンクタイミングと前記１つまたは複数の第２のコンポーネントキャリアに関連するアップリンクタイミングとの間の差を示す情報を発展型ノードＢ（ｅＮＢ）に送信する
動作を実行させるコードを記憶する、コンピュータ可読記憶媒体。
【請求項５３】
ユーザ機器（ＵＥ）のコンピュータ可読記憶媒体であって、
少なくとも１つのプロセッサで実行されたとき、前記少なくとも１つのプロセッサに、
複数のコンポーネントキャリアのために構成されたアップリンクタイミンググループの数を決定し、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定し、
前記複数のコンポーネントキャリアのうちの少なくとも１つのためのタイミングアドバンスコマンドを受信し、
前記タイミングアドバンスコマンドが適用される場合の、前記１つまたは複数の第１のコンポーネントキャリアのアップリンクタイミングと前記１つまたは複数の第２のコンポーネントキャリアのアップリンクタイミングとの間の差に基づいて、前記タイミングアドバンスコマンドを適用すべきかどうかを決定する
動作を実行させるコードを記憶する、コンピュータ可読記憶媒体。
【請求項５４】
前記タイミングアドバンスコマンドは前記１つまたは複数の第１のコンポーネントキャリアのためのものであり、
前記コンピュータ可読記憶媒体は、前記少なくとも１つのプロセッサで実行されたとき、前記少なくとも１つのプロセッサに、
前記１つまたは複数の第１のコンポーネントキャリアのアップリンクタイミングに前記タイミングアドバンスコマンドを適用し、
前記１つまたは複数の第１のコンポーネントキャリアの前記アップリンクタイミングと前記１つまたは複数の第２のコンポーネントキャリアの前記アップリンクタイミングとの間の差がしきい値よりも大きいとき、前記１つまたは複数の第２のコンポーネントキャリアのアップリンクタイミングをシフトする
動作を実行させるコード
をさらに記憶し、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第２のコンポーネントキャリアの前記アップリンクタイミングがシフトされる、
請求項５３に記載のコンピュータ可読記憶媒体。
【請求項５５】
受信された前記タイミングアドバンスコマンドは前記１つまたは複数の第１のコンポーネントキャリアのためのものであり、
前記コンピュータ可読記憶媒体は、前記少なくとも１つのプロセッサで実行されたとき、前記少なくとも１つのプロセッサに、
前記１つまたは複数の第１のコンポーネントキャリアの前記アップリンクタイミングに前記タイミングアドバンスコマンドを適用し、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングをシフトする
動作を実行させるコード
をさらに記憶し、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングはシフトされる、
請求項５３に記載のコンピュータ可読記憶媒体。
【請求項５６】
前記１つまたは複数の第１のコンポーネントキャリアと前記１つまたは複数の第１のコンポーネントキャリアの両方のためのタイミングアドバンスコマンドが受信され、
前記コンピュータ可読記憶媒体は、前記少なくとも１つのプロセッサで実行されたとき、前記少なくとも１つのプロセッサに、
前記１つまたは複数の第１のコンポーネントキャリアの前記アップリンクタイミングに前記１つまたは複数の第１のコンポーネントキャリアのための前記タイミングアドバンスコマンドを適用し、
前記１つまたは複数の第２のコンポーネントキャリアの前記アップリンクタイミングに前記１つまたは複数の第２のコンポーネントキャリアのための前記タイミングアドバンスコマンドを適用し、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングと前記１つまたは複数の第２のコンポーネントキャリアの前記アップリンクタイミングとのうちの少なくとも１つをシフトする
動作を実行させるコード
をさらに記憶し、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングと前記１つまたは複数の第２のコンポーネントキャリアの前記アップリンクタイミングとのうちの前記少なくとも１つがシフトされる、
請求項５３に記載のコンピュータ可読記憶媒体。
【請求項５７】
前記１つまたは複数の第１のコンポーネントキャリアの前記アップリンクタイミングと前記１つまたは複数の第２のコンポーネントキャリアの前記アップリンクタイミングとの間の前記差が前記しきい値よりも大きいとき、前記１つまたは複数の第２のコンポーネントキャリアの前記アップリンクタイミングのみがシフトされる、請求項５６に記載のコンピュータ可読記憶媒体。
【発明の詳細な説明】
【優先権の主張】
【０００１】
関連出願の相互参照
本出願は、その全文が参照により本明細書に明確に組み込まれる、２０１２年１月２７日に出願された「Physical Layer Issues Related To Multi-TA Group Support」と題する米国仮出願第６１／５９１，８２７号、２０１２年２月３日に出願された「Physical Layer Issues Related To Multi-TA Group Support」と題する米国仮出願第６１／５９４，９８０号、および２０１３年１月１４日に出願された「PHYSICAL LAYER ISSUES RELATED TO MULTI-TA GROUP SUPPORT」と題する米国特許出願第１３／７４１，２２６号の利益を主張する。
【技術分野】
【０００２】
本開示の態様は、一般にワイヤレス通信システムに関し、より詳細には、複数のタイミングアドバンスグループに関連するタイミング問題に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ：user equipment）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【発明の概要】
【０００５】
[0005]本明細書では、複数のタイミングアドバンスグループを定義するワイヤレス通信システムにおける物理レイヤ問題を解決するための技法について説明する。本開示の一態様では、方法、コンピュータプログラム製品、および装置が提供される。本装置は、複数のコンポーネントキャリアのために構成されたアップリンクタイミンググループの数を決定し、アップリンクタイミンググループの数に少なくとも部分的に基づいて、当該複数のコンポーネントキャリアのうちの１つまたは複数の第２のコンポーネントキャリア上でサウンディング基準信号（ＳＲＳ：sounding reference signal）と同時に、当該複数のコンポーネントキャリアのうちの１つまたは複数の第１のコンポーネントキャリア上でデータまたは制御情報のうちの少なくとも１つを送信すべきかどうかを決定し得る。
【０００６】
[0006]本開示の一態様では、上記アップリンクタイミンググループの数は、上位レイヤシグナリング構成に基づいて決定される。
【０００７】
[0007]本開示の一態様では、ただ１つのアップリンクタイミンググループが決定され、データまたは制御情報のうちの少なくとも１つが１つまたは複数の第１のコンポーネントキャリア上のシンボル中で送信されないとき、ＳＲＳは、１つまたは複数の第２のコンポーネントキャリア上のシンボル中で送信される。データまたは制御情報のうちの少なくとも１つが１つまたは複数の第１のコンポーネントキャリア上のシンボル中で送信されるとき、ＳＲＳは、１つまたは複数の第２のコンポーネントキャリア上のシンボル中での送信を保留にされ得る。
【０００８】
[0008]本開示の一態様では、少なくとも２つのアップリンクタイミンググループが決定され、１つまたは複数の第１のコンポーネントキャリアと１つまたは複数の第２のコンポーネントキャリアとが異なるコンポーネントキャリアを備えるとき、１つまたは複数の第１のコンポーネントキャリア上でデータまたは制御情報のうちの少なくとも１つと同時に、１つまたは複数の第２のコンポーネントキャリア上でＳＲＳを送信することをさらに備える。１つまたは複数の第１のコンポーネントキャリアと１つまたは複数の第２のコンポーネントキャリアとは同じアップリンクタイミンググループに関連し得る。１つまたは複数の第１のコンポーネントキャリアと１つまたは複数の第２のコンポーネントキャリアとは異なるアップリンクタイミンググループに関連し得る。１つまたは複数の第２のコンポーネントキャリア上でＳＲＳと同時に、１つまたは複数の第１のコンポーネントキャリア上でデータまたは制御情報のうちの少なくとも１つを送信すべきかどうかの決定は、ユーザ機器（ＵＥ）が、ＳＲＳと同時にデータまたは制御情報のうちの少なくとも１つを送信するのに電力制限されるかどうかに基づき得る。
【０００９】
[0009]本開示の一態様では、ＵＥが電力制限されないとき、ＳＲＳとデータまたは制御情報のうちの少なくとも１つとは同時に送信され得る。ＵＥが電力制限されるとき、ＳＲＳは、データまたは制御情報のうちの少なくとも１つと同時に送信されない。
【００１０】
[0010]本開示の一態様では、１つまたは複数の第１のコンポーネントキャリアに関連するアップリンクタイミングと１つまたは複数の第２のコンポーネントキャリアに関連するアップリンクタイミングとの間の差を示す情報が発展型ノードＢ（ｅＮＢ）に送信され得る。
【００１１】
[0011]本開示の一態様では、複数のコンポーネントキャリアのうちの少なくとも１つのためのタイミングアドバンスコマンドが受信され得る。タイミングアドバンスコマンドが適用される場合、適用後の、１つまたは複数の第１のコンポーネントキャリアのアップリンクタイミングと１つまたは複数の第２のコンポーネントキャリアのアップリンクタイミングとの間の差に基づいてタイミングアドバンスコマンドを適用すべきかどうかが決定され得る。タイミングアドバンスコマンドは１つまたは複数の第１のコンポーネントキャリアのためのものであり得、タイミングアドバンスコマンドは、１つまたは複数の第１のコンポーネントキャリアのアップリンクタイミングに適用され得る。１つまたは複数の第１のコンポーネントキャリアのアップリンクタイミングと１つまたは複数の第２のコンポーネントキャリアのアップリンクタイミングとの間の差がしきい値よりも大きいとき、第１および／または第２のコンポーネントキャリアのアップリンクタイミングはシフトされ得る。当該しきい値以下である、１つまたは複数の第１のコンポーネントキャリアのアップリンクタイミングと１つまたは複数の第２のコンポーネントキャリアのアップリンクタイミングとの間の差を取得するために、アップリンクタイミングはシフトされ得る。タイミングアドバンスコマンドは、第１または第２のコンポーネントキャリアのアップリンクタイミングに適用され得る。
【００１２】
[0012]本開示の一態様では、１つまたは複数の第１のコンポーネントキャリアのアップリンクタイミングと１つまたは複数の第２のコンポーネントキャリアのアップリンクタイミングとの間の差がしきい値よりも大きいとき、第１のコンポーネントキャリアと第２のコンポーネントキャリアとのうちの１つのアップリンクタイミングのみがシフトされる。本開示の様々な態様および特徴について以下でさらに詳細に説明する。
【図面の簡単な説明】
【００１３】
【図１】電気通信システムの一例を概念的に示すブロック図。
【図２】電気通信システムにおけるダウンリンクフレーム構造の一例を概念的に示すブロック図。
【図３】本開示の一態様に従って構成された基地局／ｅＮＢおよびＵＥの設計を概念的に示すブロック図。
【図４】連続キャリアアグリゲーションタイプを開示する図。
【図５】非連続キャリアアグリゲーションタイプを開示する図。
【図６】ＭＡＣレイヤデータアグリゲーションを開示する図。
【図７】コンポーネントキャリアの構成を示すブロック図。
【図８Ａ】非同期ダウンリンクコンポーネントキャリアタイミングと同期アップリンクコンポーネントキャリアタイミングとを示す図。
【図８Ｂ】非同期ダウンリンクキャリアとアップリンクコンポーネントキャリアとのためのコンポーネントキャリアタイミングを示す図。
【図９】ＴＡグループを示すブロック図。
【図１０】コンポーネントキャリア間のタイミング差の影響を示す図。
【図１１Ａ】ＳＲＳ衝突回避方式の一例を示す図。
【図１１Ｂ】ＳＲＳ衝突回避方式の別の例を示す図。
【図１１Ｃ】ＳＲＳ衝突回避方式の別の例を示す図。
【図１１Ｄ】ＳＲＳ衝突回避方式の別の例を示す図。
【図１２】短持続時間ＳＲＳ衝突を生じる短期間シンボルオーバーラップを示す図。
【図１３】データまたは制御情報とのＳＲＳの同時送信を示す図。
【図１４Ａ】ＴＡグループ間のタイミングオフセットの存在下でのＵｐＰＴＳとのＳＲＳの同時送信の一例を示す図。
【図１４Ｂ】ＴＡグループ間のタイミングオフセットの存在下でのＵｐＰＴＳとのＳＲＳの別の例示的な同時送信を示す図。
【図１５】ワイヤレス通信の方法のフローチャート。
【図１６】ワイヤレス通信の方法のフローチャート。
【図１７】ワイヤレス通信の方法のフローチャート。
【図１８】例示的な装置中の異なるモジュール／手段／構成要素間のデータフローを示す概念データフロー図。
【図１９】処理システムを採用する装置のためのハードウェア実装形態の一例を示す図。
【発明を実施するための形態】
【００１４】
[0037]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１５】
[0038]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。本明細書で説明する技法は、上記のワイヤレスネットワークおよび無線技術、ならびに他のワイヤレスネットワークおよび無線技術のために使用され得る。明快のために、本技法のいくつかの態様について以下ではＬＴＥに関して説明し、以下の説明の大部分でＬＴＥ用語を使用する。
【００１６】
[0039]図１に、ＬＴＥネットワークであり得るワイヤレス通信ネットワーク１００を示す。ワイヤレスネットワーク１００は、いくつかの発展型ノードＢ（ｅＮＢ）１１０と他のネットワークエンティティとを含み得る。ｅノードＢは、ＵＥと通信する局であり得、基地局、アクセスポイントなどと呼ばれることもある。ノードＢは、ＵＥと通信する局の別の例である。
【００１７】
[0040]各ｅＮＢ１１０は、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。
【００１８】
[0041]ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ、自宅内のユーザのためのＵＥなど）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢと呼ばれることがある。図１に示す例では、ｅＮＢ１１０ａ、１１０ｂおよび１１０ｃは、それぞれマクロセル１０２ａ、１０２ｂおよび１０２ｃのためのマクロｅＮＢであり得る。ｅＮＢ１１０ｘは、ピコセル１０２ｘのためのピコｅＮＢであり得る。ｅＮＢ１１０ｙおよび１１０ｚは、それぞれフェムトセル１０２ｙおよび１０２ｚのためのフェムトｅＮＢであり得る。ｅＮＢは、１つまたは複数の（たとえば、３つの）セルをサポートし得る。
【００１９】
[0042]ワイヤレスネットワーク１００はまた、中継局を含み得る。中継局は、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送る局である。中継局はまた、他のＵＥに対する送信を中継するＵＥであり得る。図１に示す例では、中継局１１０ｒは、ｅＮＢ１１０ａとＵＥ１２０ｒとの間の通信を容易にするために、ｅＮＢ１１０ａおよびＵＥ１２０ｒと通信し得る。中継局は、リレーｅＮＢ、リレーなどと呼ばれることもある。
【００２０】
[0043]ワイヤレスネットワーク１００は、様々なタイプのｅＮＢ、たとえば、マクロｅＮＢ、ピコｅＮＢ、フェムトｅＮＢ、リレーなどを含む異種ネットワークであり得る。これらの様々なタイプのｅＮＢは、様々な送信電力レベル、様々なカバレージエリア、およびワイヤレスネットワーク１００中の干渉に対する様々な影響を有し得る。たとえば、マクロｅＮＢは、高い送信電力レベル（たとえば、２０ワット）を有し得るが、ピコｅＮＢ、フェムトｅＮＢ、およびリレーは、より低い送信電力レベル（たとえば、１ワット）を有し得る。
【００２１】
[0044]ワイヤレスネットワーク１００は、同期動作または非同期動作をサポートし得る。同期動作の場合、ｅＮＢは同様のフレームタイミングを有し得、異なるｅＮＢからの送信はほぼ時間的にそろう。非同期動作の場合、ｅＮＢは異なるフレームタイミングを有し得、異なるｅＮＢからの送信は時間的にそろわない。本明細書で説明する技法は、同期動作と非同期動作の両方のために使用され得る。
【００２２】
[0045]ネットワークコントローラ１３０は、ｅＮＢのセットに結合し、これらのｅＮＢに対し調整および制御を提供し得る。ネットワークコントローラ１３０は、バックホールを介してｅＮＢ１１０と通信し得る。ｅＮＢ１１０はまた、たとえば、ワイヤレスバックホールまたはワイヤラインバックホールを介して直接または間接的に互いに通信し得る。
【００２３】
[0046]ＵＥ１２０は、ワイヤレスネットワーク１００全体にわたって分散され得、各ＵＥは固定または移動であり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉送信を示す。
【００２４】
[0047]ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭＡでは時間領域で送られる。隣接するサブキャリア間の間隔は固定であり得、サブキャリアの総数（Ｋ）はシステム帯域幅に依存し得る。たとえば、サブキャリアの間隔は１５ｋＨｚであり得、（「リソースブロック」と呼ばれる）最小リソース割振りは１２個のサブキャリア（または１８０ｋＨｚ）であり得る。したがって、公称ＦＦＴサイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚ（すなわち、６つのリソースブロック）をカバーし得、１．２５、２．５、５、１０または２０ＭＨｚのシステム帯域幅に対してそれぞれ１、２、４、８または１６個のサブバンドがあり得る。
【００２５】
[0048]図２に、ＬＴＥにおいて使用されるダウンリンクフレーム構造を示す。ダウンリンクの送信タイムラインは、無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間、または拡張サイクリックプレフィックスの場合は６個のシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００２６】
[0049]ＬＴＥでは、ｅＮＢは、ｅＮＢ中の各セルについて１次同期信号（ＰＳＳ：primary synchronization signal）と２次同期信号（ＳＳＳ：secondary synchronization signal）とを送り得る。１次同期信号および２次同期信号は、図２に示すように、それぞれ、ノーマルサイクリックプレフィックスをもつ各無線フレームのサブフレーム０および５の各々中のシンボル期間６および５中で送られ得る。同期信号は、セル検出および捕捉（acquisition）のためにＵＥによって使用され得る。ｅＮＢは、サブフレーム０のスロット１中のシンボル期間０〜３中で物理ブロードキャストチャネル（ＰＢＣＨ）を送り得る。ＰＢＣＨはあるシステム情報を搬送し得る。
【００２７】
[0050]ｅＮＢは、図２の第１のシンボル期間全体において示されているが、各サブフレームの第１のシンボル期間の一部のみの中で物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ただし、Ｍは、１、２または３に等しく、サブフレームごとに変化し得る。Ｍはまた、たとえば、リソースブロックが１０個未満である小さいシステム帯域幅の場合、４に等しくなり得る。図２に示す例では、Ｍ＝３である。ｅＮＢは、各サブフレームの最初のＭ個のシンボル期間の中で（図２ではＭ＝３）、物理ＨＡＲＱインジケータチャネル（ＰＨＩＣＨ）と物理ダウンリンク制御チャネル（ＰＤＣＣＨ）とを送信し得る。ＰＨＩＣＨは、ハイブリッド自動再送信（ＨＡＲＱ）をサポートするための情報を搬送し得る。ＰＤＣＣＨは、ＵＥのためのアップリンクおよびダウンリンクリソース割振りに関する情報と、アップリンクチャネルのための電力制御情報とを搬送し得る。図２の第１のシンボル期間の中には示されていないが、ＰＤＣＣＨおよびＰＨＩＣＨは、第１のシンボル期間の中にも含まれることを理解されたい。同様に、ＰＨＩＣＨおよびＰＤＣＣＨはまた、図２にはそのようには示されていないが、第２のシンボル期間と第３のシンボル期間の両方の中にある。ｅＮＢは、各サブフレームの残りのシンボル期間中に物理ダウンリンク共有チャネル（ＰＤＳＣＨ）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Evolved Universal Terrestrial Radio Access (E-UTRA); Physical Channels and Modulation」と題する３ＧＰＰ  ＴＳ  ３６．２１１に記載されている。
【００２８】
[0051]ｅＮＢは、ｅＮＢによって使用されるシステム帯域幅の中心１．０８ＭＨｚにおいてＰＳＳ、ＳＳＳおよびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方式でＰＤＣＣＨを送り得、また特定のＵＥにユニキャスト方式でＰＤＳＣＨを送り得る。
【００２９】
[0052]各シンボル期間においていくつかのリソース要素が利用可能であり得る。各リソース要素は、１つのシンボル期間中に１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）に構成され得る。各ＲＥＧは、１つのシンボル期間中に４つのリソース要素を含み得る。ＰＣＦＩＣＨは、シンボル期間０において、周波数上でほぼ等しく離間され得る、４つのＲＥＧを占有し得る。ＰＨＩＣＨは、１つまたは複数の構成可能なシンボル期間において、周波数上で拡散され得る、３つのＲＥＧを占有し得る。たとえば、ＰＨＩＣＨのための３つのＲＥＧは、すべてシンボル期間０に属するか、またはシンボル期間０、１および２に拡散され得る。ＰＤＣＣＨは、最初のＭ個のシンボル期間において、利用可能なＲＥＧから選択され得る、９、１８、３２または６４個のＲＥＧを占有し得る。ＲＥＧのいくつかの組合せのみがＰＤＣＣＨに対して許され得る。
【００３０】
[0053]ＵＥは、ＰＨＩＣＨとＰＣＦＩＣＨとのために使用される特定のＲＥＧを知り得る。ＵＥは、ＰＤＣＣＨについてＲＥＧの様々な組合せを探索し得る。探索すべき組合せの数は、一般に、ＰＤＣＣＨに対して許される組合せの数よりも少ない。ｅＮＢは、ＵＥが探索することになる組合せのいずれかにおいてＵＥにＰＤＣＣＨを送り得る。
【００３１】
[0054]ＵＥは、複数のｅＮＢのカバレージ内にあり得る。そのＵＥをサービスするために、これらのｅＮＢのうちの１つが選択され得る。サービングｅＮＢは、受信電力、経路損失、信号対雑音比（ＳＮＲ）など、様々な基準に基づいて選択され得る。
【００３２】
[0055]図３に、図１の基地局／ｅＮＢのうちの１つであり得る基地局／ｅＮＢ１１０と、図１のＵＥのうちの１つであり得るＵＥ１２０との設計のブロック図を示す。制限付き関連付けシナリオの場合、基地局１１０は図１のマクロｅＮＢ１１０ｃであり得、ＵＥ１２０はＵＥ１２０ｙであり得る。基地局１１０はまた、何らかの他のタイプの基地局であり得る。基地局１１０はアンテナ６３４ａ〜６３４ｔを装備し得、ＵＥ１２０はアンテナ６５２ａ〜６５２ｒを装備し得る。
【００３３】
[0056]基地局１１０において、送信プロセッサ６２０は、データソース６１２からデータを受信し、コントローラ／プロセッサ６４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。プロセッサ６２０は、データと制御情報とを処理（たとえば、符号化およびシンボルマッピング）して、それぞれデータシンボルと制御シンボルとを取得し得る。プロセッサ６２０はまた、たとえば、ＰＳＳ、ＳＳＳ、およびセル固有基準信号のための基準シンボルを生成し得る。送信（ＴＸ）多入力多出力（ＭＩＭＯ）プロセッサ６３０は、適用可能な場合、データシンボル、制御シンボル、および／または基準シンボルに対して空間処理（たとえば、プリコーディング）を実行し得、出力シンボルストリームを変調器（ＭＯＤ）６３２ａ〜６３２ｔに与え得る。各変調器６３２は、（たとえば、ＯＦＤＭなどのために）それぞれの出力シンボルストリームを処理して、出力サンプルストリームを取得し得る。各変調器６３２はさらに、出力サンプルストリームを処理（たとえば、アナログへの変換、増幅、フィルタ処理、およびアップコンバート）して、ダウンリンク信号を取得し得る。変調器６３２ａ〜６３２ｔからのダウンリンク信号は、それぞれアンテナ６３４ａ〜６３４ｔを介して送信され得る。
【００３４】
[0057]ＵＥ１２０において、アンテナ６５２ａ〜６５２ｒは、基地局１１０からダウンリンク信号を受信し得、受信信号をそれぞれ復調器（ＤＥＭＯＤ）６５４ａ〜６５４ｒに与え得る。各復調器６５４は、それぞれの受信信号を調整（たとえば、フィルタ処理、増幅、ダウンコンバート、およびデジタル化）して、入力サンプルを取得し得る。各復調器６５４は、（たとえば、ＯＦＤＭなどのために）入力サンプルをさらに処理して、受信シンボルを取得し得る。ＭＩＭＯ検出器６５６は、すべての復調器６５４ａ〜６５４ｒから受信シンボルを取得し、適用可能な場合は受信シンボルに対してＭＩＭＯ検出を実行し、検出シンボルを与え得る。受信プロセッサ６５８は、検出シンボルを処理（たとえば、復調、デインターリーブ、および復号）し、ＵＥ１２０の復号されたデータをデータシンク６６０に与え、復号された制御情報をコントローラ／プロセッサ６８０に与え得る。
【００３５】
[0058]アップリンク上では、ＵＥ１２０において、送信プロセッサ６６４は、データソース６６２から（たとえば、ＰＵＳＣＨのための）データを受信し、処理し得、コントローラ／プロセッサ６８０から（たとえば、ＰＵＣＣＨのための）制御情報を受信し、処理し得る。プロセッサ６６４はまた、基準信号のための基準シンボルを生成し得る。送信プロセッサ６６４からのシンボルは、適用可能な場合はＴＸ  ＭＩＭＯプロセッサ６６６によってプリコードされ、さらに（たとえば、ＳＣ−ＦＤＭなどのために）変調器６５４ａ〜６５４ｒによって処理され、基地局１１０に送信され得る。基地局１１０において、ＵＥ１２０からのアップリンク信号は、アンテナ６３４によって受信され、復調器６３２によって処理され、適用可能な場合はＭＩＭＯ検出器６３６によって検出され、さらに受信プロセッサ６３８によって処理されて、ＵＥ１２０によって送られた復号されたデータおよび制御情報が取得され得る。プロセッサ６３８は、復号されたデータをデータシンク６３９に与え、復号された制御情報をコントローラ／プロセッサ６４０に与え得る。
【００３６】
[0059]コントローラ／プロセッサ６４０および６８０は、それぞれ基地局１１０およびＵＥ１２０における動作を指示し得る。基地局１１０におけるプロセッサ６４０および／または他のプロセッサおよびモジュールは、本明細書で説明する技法のための様々なプロセスを実行するか、またはその実行を指示し得る。ＵＥ１２０におけるプロセッサ６８０および／または他のプロセッサおよびモジュールはまた、図４および図５に示す機能ブロック、および／または本明細書で説明する技法のための他のプロセスを実行するか、またはその実行を指示し得る。メモリ６４２および６８２は、それぞれ基地局１１０およびＵＥ１２０のためのデータおよびプログラムコードを記憶し得る。スケジューラ６４４は、ダウンリンクおよび／またはアップリンク上でのデータ送信のためにＵＥをスケジュールし得る。
【００３７】
[0060]一構成では、ワイヤレス通信のためのＵＥ１２０は、ＵＥの接続モード中に干渉基地局からの干渉を検出するための手段と、干渉基地局の得られたリソースを選択するための手段と、得られたリソース上の物理ダウンリンク制御チャネルの誤り率を取得するための手段と、誤り率が所定のレベルを超えたことに応答して実行可能である、無線リンク障害を宣言するための手段とを含む。一態様では、上述の手段は、上述の手段によって具陳される機能を実行するように構成された、（１つまたは複数の）プロセッサ、コントローラ／プロセッサ６８０、メモリ６８２、受信プロセッサ６５８、ＭＩＭＯ検出器６５６、復調器６５４ａ、およびアンテナ６５２ａであり得る。別の態様では、上述の手段は、上述の手段によって具陳される機能を実行するように構成されたモジュールまたは任意の装置であり得る。
【００３８】
キャリアアグリゲーション
[0061]ＬＴＥアドバンストＵＥは、各方向において送信のために使用される最高合計１００Ｍｈｚ（５つのコンポーネントキャリア）のキャリアアグリゲーションにおいて割り振られた、最高２０Ｍｈｚ帯域幅のスペクトルを使用する。概して、アップリンク上ではダウンリンクよりも少ないトラフィックが送信され、したがって、アップリンクスペクトル割振りはダウンリンク割振りよりも小さくなり得る。たとえば、２０Ｍｈｚがアップリンクに割り当てられる場合、ダウンリンクは１００Ｍｈｚを割り当てられ得る。これらの非対称ＦＤＤ割当ては、スペクトルを節約し、ブロードバンド加入者による一般に非対称な帯域利用にぴったり合う。
【００３９】
キャリアアグリゲーションタイプ
[0062]ＬＴＥアドバンストモバイルシステムのために、２つのタイプのキャリアアグリゲーション（ＣＡ：carrier aggregation）方法、すなわち、連続ＣＡおよび非連続ＣＡが提案されている。それらを図４および図５に示す。非連続ＣＡは、複数の利用可能なコンポーネントキャリアが周波数帯域に沿って分離されたときに生じる（図５）。一方、連続ＣＡは、複数の利用可能なコンポーネントキャリアが互いに隣接するときに生じる（図４）。非連続ＣＡと連続ＣＡの両方は、ＬＴＥアドバンストＵＥの単一ユニットを処理するために複数のＬＴＥ／コンポーネントキャリアをアグリゲートする。
【００４０】
[0063]ＬＴＥアドバンストＵＥにおける非連続ＣＡでは、周波数帯域に沿ってキャリアが分離されるので、複数のＲＦ受信ユニットと複数のＦＦＴとが配備され得る。非連続ＣＡは、大きい周波数範囲にわたる複数の分離されたキャリア上でのデータ送信をサポートするので、周波数帯域が異なると、伝搬経路損失、ドップラーシフトおよび他の無線チャネル特性が大いに変わり得る。
【００４１】
[0064]したがって、非連続ＣＡ手法の下でブロードバンドデータ送信をサポートするために、異なるコンポーネントキャリアのためのコーディング、変調および送信電力を適応的に調整するための方法が使用され得る。たとえば、発展型ノードＢ（ｅＮＢ）が各コンポーネントキャリア上で固定の送信電力を有するＬＴＥアドバンストシステムでは、各コンポーネントキャリアの実効カバレージまたはサポート可能な変調およびコーディングが異なり得る。
【００４２】
データアグリゲーション方式
[0065]図６に、国際モバイル電気通信（ＩＭＴ：International Mobile Telecommunication）アドバンストシステムのために媒体アクセス制御（ＭＡＣ）レイヤにおいて異なるコンポーネントキャリアからの送信ブロック（ＴＢ：transmission block）をアグリゲートすることを示す。ＭＡＣレイヤデータアグリゲーションでは、各コンポーネントキャリアは、ＭＡＣレイヤ中にそれ自体の独立したハイブリッド自動再送要求（ＨＡＲＱ）エンティティを有し、物理レイヤ中にそれ自体の送信構成パラメータ（たとえば、送信電力、変調およびコーディング方式、ならびに複数のアンテナ構成）を有する。同様に、物理レイヤでは、コンポーネントキャリアごとに１つのＨＡＲＱエンティティが与えられる。
【００４３】
制御シグナリング
[0066]概して、複数のコンポーネントキャリアのために制御チャネルシグナリングを展開するための３つの異なる手法がある。第１は、ＬＴＥシステムにおける制御構造の軽微な変更を伴い、各コンポーネントキャリアは、それ自体のコード化制御チャネルを与えられる。
【００４４】
[0067]第２の方法は、異なるコンポーネントキャリアの制御チャネルをジョイントコーディングし、専用のコンポーネントキャリア中に制御チャネルを展開することを伴う。複数のコンポーネントキャリアのための制御情報は、この専用制御チャネルにおいてシグナリングコンテンツとして統合され得る。その結果、ＬＴＥシステムにおける制御チャネル構造との後方互換性が維持されながら、ＣＡのシグナリングオーバーヘッドが低減する。
【００４５】
[0068]異なるコンポーネントキャリアのための複数の制御チャネルは、ジョイントコーディングされ、次いで、第３のＣＡ方法によって形成された周波数帯域全体にわたって送信される。この手法は、ＵＥ側における高い電力消費量という犠牲を払って、制御チャネルにおける低いシグナリングオーバーヘッドと高い復号性能とを提供する。ただし、この方法はＬＴＥシステムとの互換性がない。
【００４６】
ハンドオーバ制御
[0069]国際モバイル電気通信アドバンスト（ＩＭＴアドバンスト）要件に準拠するＵＥのためにＣＡが使用されるとき、複数のセルにわたるハンドオーバプロシージャ中に送信連続性をサポートすることが好ましい。しかしながら、特定のＣＡ構成およびサービス品質（ＱｏＳ）要件とともに、入来ＵＥのために十分なシステムリソース（すなわち、良好な送信品質をもつコンポーネントキャリア）を確保することが、次のｅＮＢにとって難しいことがある。この理由は、２つ（またはそれ以上）の隣接するセル（ｅＮＢ）のチャネル状態が、特定のＵＥについて異なり得るからである。１つの手法では、ＵＥは、各隣接するセルにおいてただ１つのコンポーネントキャリアのパフォーマンスを測定する。これは、ＬＴＥシステムにおけるのと同様の測定遅延、複雑さ、およびエネルギー消費を与える。対応するセルにおける他のコンポーネントキャリアのパフォーマンスの推定は、この１つのコンポーネントキャリアの測定結果に基づき得る。この推定に基づいて、ハンドオーバ決定および送信構成が決定され得る。
【００４７】
[0070]様々な実施形態によれば、（キャリアアグリゲーションとも呼ばれる）マルチキャリアシステムにおいて動作しているＵＥは、「１次キャリア」と呼ばれることがある同じ１つのキャリア上で、制御およびフィードバック機能など、複数のキャリアのいくつかの機能をアグリゲートするように構成される。サポートのために１次キャリアに依存する残りのキャリアは、関連する２次キャリアと呼ばれる。たとえば、ＵＥは、オプションの専用チャネル（ＤＣＨ）、スケジュールされない許可（nonscheduled grant）、物理アップリンク制御チャネル（ＰＵＣＣＨ）、および／または物理ダウンリンク制御チャネル（ＰＤＣＣＨ）によって提供される制御機能などの制御機能をアグリゲートし得る。ＵＥは、物理アップリンク制御チャネル（ＰＵＣＣＨ）を使用して１次チャネル中に肯定応答／否定応答（ＡＣＫ／ＮＡＫ）、チャネル品質インジケータ（ＣＱＩ）およびスケジューリング要求（ＳＲ：scheduling request）などの制御信号を与え得る。シグナリングおよびペイロードは、ダウンリンク上でｅＮＢによってＵＥに、ならびにアップリンク上でＵＥによってｅＮＢに送信され得る。
【００４８】
[0071]いくつかの実施形態では、複数の１次キャリアが存在し得る。さらに、ＬＴＥ  ＲＲＣプロトコルの３ＧＰＰ技術仕様３６．３３１に記載されているものなど、レイヤ２プロシージャである物理チャネル確立および無線リンク障害（radio link failure）ＲＬＦプロシージャを含む、ＵＥの基本動作に影響を及ぼすことなしに、２次キャリアが追加または削除され得る。
【００４９】
[0072]指定された１次キャリアおよび１つまたは複数の２次キャリアを含む、複数のコンポーネントキャリアがＵＥのために定義され得る。図７に、ダウンリンクコンポーネントキャリア７００とアップリンクコンポーネントキャリア７１０との一構成を示す。アップリンク１次キャリア７１２は、上位レベルプロトコルモジュールによって半静的に構成され得る。１次キャリア７１２は、ＡＣＫ／ＮＡＫ、ＣＱＩ、およびＳＲなどの制御信号を送信するためにＰＵＣＣＨを含み得る。一般に、ＰＵＣＣＨは２次キャリア７１４または７１６中で送信されない。１次キャリア７１２は、最高５つのダウンリンクコンポーネントキャリアのためのＡＣＫ／ＮＡＫ送信をサポートし得る。
【００５０】
[0073]アップリンクキャリア７１２、７１４、７１６は非同期的または同期的に送信され得る。アップリンクキャリア７１２、７１４、および７１６のうちの２つ以上は、同じサブバンド中で送信されるとき、一般に同期している。２つ以上のアップリンクキャリア７１２、７１４、および７１６は、それらのタイミングを制御するために単一のタイミングアドバンス（ＴＡ：timing advance）コマンドが使用されるとき、同期的に送信され得る。２つ以上のアップリンクキャリア７１２、７１４、および７１６の送信は、キャリアのうちの１つの送信がキャリアのうちの別の１つの送信より遅れるとき、互いに対して非同期であると見なされ得る。
【００５１】
[0074]ダウンリンクコンポーネントキャリア７０２、７０４、および７０６のうちの１つまたは複数の送信時間は、他のダウンリンクキャリアに対してオフセットされ得る。ＵＥは、異なる帯域中で送信されるキャリア間で生じるタイミングの差を含む、受信ダウンリンクキャリアにおけるタイミング差を許容するように構成され得る（帯域間非連続キャリアアグリゲーション）。図８Ａに、非同期ダウンリンクキャリア８１０と同期アップリンクキャリア８１２とのためのコンポーネントキャリアタイミング８００を示す。図示のように、ＵＥは、キャリア８０６および８０８を同期的に送信し、キャリア８０２とキャリア８０４との間のタイミング差（オフセットΔｔ）８１４とともにキャリア８０２および８０４を受信する。タイミング差８１４は、２つのコンポーネントキャリア８０２および８０４における対応するシンボルの開始（または終了）の間の時間差として定量化され得る。タイミング差８１４は、コンポーネントキャリア８０２または８０４に関連する時間値を、他方のコンポーネントキャリア８０４または８０２の対応する時間値から減算することにより、符号付き差時間値を取得することによって、遅延時間として計算され得、ここで、符号は、コンポーネントキャリア８０２および８０４のタイミング順序を示す。遅延時間の符号は、送信タイミングに関係するかまたはＵＥによって任意に設定され得る基準時間に関して、キャリア８０２および８０４のうちのどちらが他方より先に進む（または遅れる）か、を示し得る。たとえば、ＵＥは、受信フレームの開始または終了に対応する基準時間８１６を使用し得、それにより、タイミング差８１４は、コンポーネントキャリア８０２および８０４の到達時間を、基準時間８１６に対する経過時間８１８ａおよび８１８ｂとして表現することによって決定され得る。タイミング差８１４は、次いで、経過時間８１８ｂから経過時間８１８ａを単純に減算して符号付き時間量を取得することによって計算され得、ここで、コンポーネントキャリア８０２がコンポーネントキャリア８０４より遅れる場合、符号は負であり、コンポーネントキャリア８０２がコンポーネントキャリア８０４より進む場合、符号は正であり、コンポーネントキャリア８０２とコンポーネントキャリア８０４とが同じ時間に到達する場合、タイミング差８１４は０である。
【００５２】
[0075]キャリア間のタイミング差８１４が増加すると、ＵＥが、タイミング差８１４にほぼ等しい時間の間、キャリア８０２または８０４のうちの１つのためのデータをバッファすることが必要になり得、それにより、ＵＥの複雑さが増加し得る。タイミング差８１４は、セル半径が比較的小さいいくつかの市街地では比較的小さくなり得るが、農村地域におけるより大きいセル半径は、遅延時間をより長くし得る。さらに、異なるキャリアは、中継器の異なる展開を有し得る。一例として、キャリア８０２は、中継器を通して中継されていることがあるが、キャリア８０４は、中継器を通して中継されていないことがある。その結果、２つのキャリア間のタイミング差８１４は、部分的に中継器の異なる展開に起因し得る。
【００５３】
[0076]キャリアアグリゲーションのために構成されたＵＥのために、複数のタイミングアドバンスグループ（ＴＡグループ）が定義され得る。ＴＡグループは、一般に、ｅＮＢから送信された同じＴＡコマンドによって制御される１つまたは複数のアップリンクキャリアを備える。ＴＡグループは、専用シグナリングを使用してサービングｅＮＢによって構成され得る。図９に、１つのＴＡグループ９００は１次セル９０２（１次ＴＡグループ）を含むが、ＴＡグループ９０４は１つまたは複数の２次セル９０６（２次ＴＡグループ）のみを含む一例を示す。この例では、１次ＴＡグループ９００のタイミングは、１次セル９０２によってサポートされるシグナリングを使用して構成可能である。ＴＡグループ９０４中のアクティブ化２次セル９０６を対象とするＰＤＣＣＨ命令（PDCCH order）が、物理ランダムアクセスチャネル（ＰＲＡＣＨ）の使用を生じ得るランダムアクセスプロシージャを開始し得、ＰＵＣＣＨとＰＲＡＣＨとの同時送信に適応するために電力優先度付け（power prioritization）が使用され得る。ＰＤＣＣＨ命令は、たとえば、ＵＬリソースとＤＬリソースとが解放され、ｅＮＢがＵＥに送るべきＤＬデータを有した後に、使用され得る。ＰＲＡＣＨは、一般にロバストなチャネルであり、電力優先度付けのために、ＰＵＳＣＨ、ＰＵＣＣＨおよびＳＲＳよりも低い優先度を割り当てられ得る。ＰＲＡＣＨ優先度付けは、たとえば、競合ＰＲＡＣＨが使用されるか非競合ＰＲＡＣＨが使用されるか、およびＰＲＡＣＨが１次ＴＡグループ中で送信されるか２次ＴＡグループチャネル中で送信されるかなどのファクタに基づき得る。
【００５４】
[0077]ＵＥのために複数のＴＡグループが定義されたとき、１つまたは複数のＴＡグループは、他のＴＡグループによって受信されたＴＡコマンドとは異なるＴＡコマンドを受信していることがあるので、ＵＥによって送信されるアップリンクキャリア間にタイミング差が存在し得る。ＴＡコマンドは、２つ以上のＴＡグループに、互いに異なるタイミングオフセットをもたせ、これらのタイミング差は、ＴＡグループのペア間の、あるいはＴＡグループのペア内の対応するコンポーネントキャリア、サブフレーム、および／またはシンボル間の相対的遅延として特徴づけられ得る。図８Ｂに、ダウンリンクタイミング（８２６）とアップリンクタイミング（８２８）とのためのタイミング８１６を示す。ダウンリンクキャリア８１８および８２０は第１のタイミングオフセット８３０とともに受信され、アップリンクキャリア８２２、８２４は第２のタイミングオフセット８３２とともに送信される。キャリア８２２および８２４を送信するＵＥの状態の完全な知識なしに、アップリンクキャリア８２２および８２４の各々について異なるＴＡコマンドが受信された後に、アップリンクタイミングオフセット８３２が生じ得る。アップリンクタイミングオフセット８３２により、アップリンクキャリアの時間的な誤配列（misalignment in time）が、１つのキャリア中の遅延シンボルの、別のキャリア中のシーケンスシンボル中の次のシンボルとのオーバーラップを作り出す、電力優先度付け競合が生じ得る。ＵＥは、タイミングオフセット８３２の大きさと特性とに基づいて電力優先度付けを解決し得、いくつかの信号、データまたは制御情報が送られ得るか保留されるべきかを決定し得る。ＵＥは、タイミングオフセット８３２をハーフシンボル持続時間などのしきい値と比較し得、タイミングオフセット８３２がしきい値を超えた場合、信号、データまたは制御情報を抑制し得る。たとえば、コンポーネントキャリア間にすでにタイミング差が存在するとき、ＵＥによって新しいＴＡコマンドが受信されたき、タイミングオフセット８３２はしきい値を超え得、そのような場合、ＵＥは、ＴＡコマンドに従ってタイミングを調整することによってＴＡコマンドに応答するか、ＴＡコマンドを無視するか、または、タイミングへの部分的調整を行うことにより応答するように構成され得る。アップリンクキャリア間のタイミング差は、さらに、アップリンクタイミング基準について異なるダウンリンクキャリアの使用に起因し得る。一例として、ＵＬ  ＣＣ１  ８２２は、ＤＬ  ＣＣ１  ８１８からの受信されたダウンリンクタイミングを基準として使用し得るが、ＵＬ  ＣＣ２  ８２４は、ＤＬ  ＣＣ２  ８２０からの受信されたダウンリンクタイミングを基準として使用し得る。
【００５５】
[0078]図１０に、単一のＵＥに関連するコンポーネントキャリア間のタイミング差の影響を示す。図１０に示す例では、ＵＥのために複数のＴＡグループが定義され、各ＴＡグループは少なくとも１つのコンポーネントキャリアを有する。ＵＥは、コンポーネントキャリア１０００に第１のアップリンクタイミングを与える第１のＴＡグループのための構成を受信し得、コンポーネントキャリア１００２に第２のアップリンクタイミングを与える構成を受信し得る。第１のアップリンクタイミングと第２のアップリンクタイミングとは、１つまたは複数のＴＡコマンドによって与えられ得る。アップリンクタイミング構成は、コンポーネントキャリア１０００とコンポーネントキャリア１００２との間に相対的遅延１０２４を生じ得る。たとえば、コンポーネントキャリア１０００のサブフレーム１００４および１００６が、コンポーネントキャリア１００２のサブフレーム１０１２、１０１４、および１０１６に対して遅延される。相対的遅延１０２４は、コンポーネントキャリア１００２中のサブフレーム１０１２の開始と、コンポーネントキャリア１０００中の対応するサブフレーム１００４の開始との間で経過した時間として定量化され得る。相対的遅延１０２４は、コンポーネントキャリア１００２中のサブフレーム１０１２の終了１０１８と、コンポーネントキャリア１０００中の対応するサブフレーム１００４の終了１０２２との間で経過した時間として定量化され得る。サブフレーム１０１２の最終シンボル１０２０中でサウンディング基準信号（ＳＲＳ）が送信され得る。サブフレーム１００４の対応する最終シンボルは、シンボル１０２０中のＳＲＳ信号との干渉を回避するために、使用されない。相対的遅延１０２４が非０値を有するとき、サブフレーム１０１２の最終シンボル１０２０の開始１０２６と、サブフレーム１００４の最後から２番目のシンボル１０３２中でＰＵＣＣＨおよび／またはＰＵＳＣＨを搬送し得る、サブフレーム１００４の最後から２番目のシンボル１０３２の終了１０２２との間で、シンボル１０２０におけるＳＲＳのオーバーラップが生じ得る。したがって、サブフレーム１００４中で送信されるシンボルの少なくとも一部分では、ＳＲＳに関与する衝突が生じ得る。また、ＣＣ１  １０００のアップリンク送信タイミングが、ＣＣ２  １００２のアップリンク送信タイミングの送信タイミングより進む可能性がある。この場合、少なくともＳＲＳの終了１０２６のためのサブフレーム１０１２の最終シンボルの終了と、ＰＵＣＣＨおよび／またはＰＵＳＣＨのためのサブフレーム１００６の最初のシンボルの開始との間で、ＳＲＳ１０２０のオーバーラップが生じ得る可能性がある。
【００５６】
[0079]ＵＥは、ＳＲＳ衝突の発生、または発生の可能性に応答して、ＳＲＳをドロップするか、データまたは制御情報を含む衝突シンボルをドロップするか、または、ＵＥが電力制限のために構成された場合は電力優先度付け方式を実装し得る。同じシンボル中の、同じコンポーネントキャリア内の、および／または異なるコンポーネントキャリア中のＰＵＣＣＨまたはＰＵＳＣＨとのＳＲＳの共存を回避するために、ＳＲＳはドロップされ得る。いくつかの実施形態では、ＵＥは、ＳＲＳとＰＵＣＣＨまたはＰＵＳＣＨのいずれかとの間で電力に優先度を付ける必要を回避するために、ＳＲＳとＰＵＳＣＨまたはＰＵＣＣＨとの間の衝突を回避するように構成され得る。ＵＥは、異なるコンポーネントキャリア上のＳＲＳ間で電力を等しくスケーリングすることによって、およびＰＵＳＣＨよりも高い優先度をＰＵＣＣＨに割り当てることによって、電力に優先度を付け得る。アップリンク制御情報（ＵＣＩ：uplink control information）を含むＰＵＳＣＨは、次に最も高い優先度を割り当てられ、他のＰＵＳＣＨは等電力スケーリングを有し得る。
【００５７】
[0080]ＵＥは、相対的遅延１０２４が存在する場合、サブフレーム内で異なる電力スケーリングを適用するように構成され得る。たとえば、サブフレーム１０１４の開始１０１８の後であるがサブフレーム１００６の開始１００８の前に、サブフレーム１００６の開始１００８の後であるがサブフレーム１０１４の終了１０２８の前に、およびサブフレーム１０１４の終了１０２８の後であるがサブフレーム１００６の終了１０３０の前に適用する優先度付けを含む、異なる電力優先度付けがサブフレーム１０１４内で使用され得る。
【００５８】
[0081]電力スケーリングは、１つまたは複数のあらかじめ定義された方式に従って実装され得る。たとえば、ＵＥは、サブフレーム内の電力ランピングまたは電力変動をサポートするように構成され得る。電力ランピングは、ＰＵＳＣＨとＳＲＳとの電力レベルが異なる、同じサブフレーム中でのＰＵＳＣＨとＳＲＳとの送信に適応するように構成され得る。一例では、ＳＲＳがＰＵＳＣＨと同時に送信されるとき、ＰＵＳＣＨのために使用される電力レベルは、サブフレーム中のＰＵＳＣＨのレベルセットからランプダウンされ得、ＳＲＳがＰＵＳＣＨと同時に送信されないとき、ＰＵＳＣＨのために使用される電力レベルはランプアップされ得る。ＰＵＳＣＨとＳＲＳとが同じサブフレーム中に与えられないとき、電力ランピングは回避され得る。いくつかの実施形態では、ＰＵＣＣＨには最も高い優先度が割り当てられ得、電力制限が実装されたときに一定の電力が維持され得る。２つ以上のＴＡグループが、タイミングオフセットなしに、同期的に送信されるとき、ＵＥは、電力ランピングおよび他の電力管理問題が回避されるように、ＰＵＳＣＨ、ＰＵＣＣＨ、ＳＲＳ、ならびに他の信号およびチャネルに対する優先度を確立し得る。２つ以上のＴＡグループの送信がタイミングオフセットを受けるとき、タイミングオフセットの持続時間中の異なる電力割振りに適応するために電力優先度付け方式が必要とされ得る。
【００５９】
[0082]ＵＥは、ＳＲＳとＰＵＣＣＨ／ＰＵＳＣＨとの同時送信が行われるかまたは条件付きで行われ得るとき、ＳＲＳとＰＵＣＣＨ／ＰＵＳＣＨとの間で電力に優先度を付け得る。ＳＲＳとＰＵＣＣＨ／ＰＵＳＣＨとの同時送信は、ＳＲＳが第１のサブフレームの最後のシンボル中で送信され、ＰＵＣＣＨまたはＰＵＳＣＨが、第１の時間フレームと同じ時間間隔中に送信される第２のサブフレームの最初のシンボル中で送信されるときに起こり得る。ＳＲＳとＰＵＣＣＨ／ＰＵＳＣＨとの同時送信はまた、ＳＲＳが第１のサブフレームの最後のシンボル中で送信され、ＰＵＣＣＨまたはＰＵＳＣＨが、第１の時間フレームより１シンボル時間未満だけ時間的に遅れる第２のサブフレームの最後から２番目のシンボル中で送信されるときに起こり得る。タイミングオフセットの存在、および／または、ＵＥがサブフレームの最初のシンボル、最後のシンボル、もしくは最後から２番目のシンボル中でＰＵＣＣＨまたはＰＵＳＣＨを送信し得る可能性など、ＳＲＳとＰＵＣＣＨ／ＰＵＳＣＨとの同時送信を起こり得る条件が存在する場合、同時送信の発生は条件付きであり得る。
【００６０】
[0083]ＵＥは、周期ＳＲＳと非周期ＳＲＳとのための異なる優先度を設定し得る。たとえば、非周期ＳＲＳには、ＣＱＩの優先度よりも高い優先度が割り当てられ得るが、周期ＳＲＳには、ＣＱＩよりも低い優先度が割り当てられ得る。ＵＥは、ＰＵＣＣＨおよびＰＵＳＣＨのうちの１つまたは複数の優先度よりも低いＳＲＳ用の優先度を設定し得る。ＵＥは、ＳＲＳ優先度を、ＰＵＳＣＨよりも高く、ＰＵＣＣＨよりも低く設定し得る（ＰＵＳＣＨは一般に、ある量の電力ランピングを許容することができる）。いくつかの実施形態では、ＳＲＳ優先度は、ＰＵＣＣＨとＰＵＳＣＨの両方よりも高くなり得る。いくつかの実施形態では、ＳＲＳ優先度は、ＰＵＣＣＨとＰＵＳＣＨの両方よりも高くなり得る。いくつかの実施形態では、異なるキャリアからの複数のＳＲＳ送信は同じ優先度を有し得る。いくつかの実施形態では、１次キャリアからのＳＲＳ送信は、２次キャリアからのＳＲＳ送信よりも高い優先度を有し得る。いくつかの実施形態では、１次ＴＡグループからのＳＲＳ送信は、２次ＴＡグループからのＳＲＳ送信よりも高い優先度を有し得る。
【００６１】
[0084]送信タイミング差が存在するとき、ＵＥは、２つ以上のサブフレーム（たとえば、現在サブフレームおよび次のサブフレーム）の電力に基づいて電力に優先度を付け得る。ＵＥは、電力飽和条件を決定し、優先度付けおよびスケーリングを実行するために、各アップリンクキャリアの２つの隣接するサブフレームの送信電力レベルを一緒に考慮し得る。たとえば、キャリアごとに、ＵＥは、電力優先度付け処理に関与するすべてのサブフレームの最大送信電力を決定し、キャリアごとに決定された最大送信電力に基づいてキャリア上での電力優先度付けを実行し得る。電力優先度付けにおける同時の複数のサブフレームおよび複数のキャリアの関与は、複雑なプロシージャになり得、高い実装コストを生じ得る。いくつかの実施形態では、電力優先度付けはサブフレームごとに実装され得る。衝突を受けるサブフレームの部分のための電力優先度付けは、衝突を管理するように構成されたアプローチに基づき得る。代替的に、衝突を受けるサブフレームの部分のための電力優先度付けは、指定された明示的処理なしに実装に任され得る。この場合、キャリア上での電力優先度付けはサブフレームごとに実行され得る。これは電力優先度付けを簡略化し、実装複雑さがより低くなり得る。
【００６２】
[0085]アップリンクコンポーネントキャリア間のタイミングオフセットの存在下で、ＵＥは、タイミング差があらかじめ定義されたしきい値を超えるかどうかに基づいて、タイミング差を処理するように構成され得る。たとえば、コンポーネントキャリア間の相対的伝搬遅延の最大しきい値は、ほぼハーフシンボル期間に対応し得る３０μｓに設定され得る。このしきい値は、シンボル期間の一部分中にＳＲＳを送信すべきであるかＳＲＳを送信するのを控えるべきかを決定するために使用され得る。このしきい値は、ＳＲＳとＰＵＣＣＨ／ＰＵＳＣＨとの短期間の同時送信のための代替電力優先度付け方式を使用してＳＲＳとＰＵＣＣＨ／ＰＵＳＣＨとの短期間同時送信が適応され得るかどうかを決定するために使用され得る。ＵＥは、アップリンクキャリア１００２のサブフレーム１０１２中で送信されるＳＲＳ１０２０と同時にアップリンクキャリア１０００上でデータまたは制御情報を送信すべきかどうかを決定するように構成され得る。他のコンポーネントキャリアが存在する場合、ＵＥは、それらの他のコンポーネントキャリアのいずれかの上でデータまたは制御情報が同時に送信されるとき、１つまたは複数のＳＲＳが送信されることを可能にするために電力優先度付けが使用され得るかどうかを決定し得る。遅延の大きさはまた、衝突が生じないとき、部分的なＳＲＳが送信され得るかどうかを決定し得る。
【００６３】
[0086]いくつかの実施形態では、ＵＥは、ＳＲＳとＰＵＳＣＨまたはＰＵＣＣＨとの同時送信を防ぐように構成され得る。ＰＵＳＣＨおよびＰＵＣＣＨとＳＲＳとの衝突は、アップリンクキャリアが同期的に送信される場合、ＴＡグループの１つのコンポーネントキャリア中でＳＲＳが送信されるときにデータまたは制御情報を送信するのを控えることによって、単一のＴＡグループ内で回避され得る。２つ以上のＴＡグループ間にタイミングオフセットが存在するとき、ＵＥは、ＳＲＳとデータまたは制御情報とが同時に送信されるべきでないと決定し得る。図１０に示す例では、ＵＥは、サブフレーム１００４の最後のシンボル１０１０中で、および最後から２番目のシンボル１０３２中で、これらのシンボル１０１０および１０３２とシンボル１０２０とのオーバーラップのために、データまたは制御情報を送信するのを控え得る。データまたは制御情報がサブフレーム１００４の最後から２番目のシンボル１０３２または最後のシンボル１０１０中で送信されるべきとき、ＵＥはＳＲＳを送信するのを控え得る。ＵＥはまた、１つまたは複数のコンポーネントキャリア中で、短縮されたＳＲＳ、あるいはデータまたは制御情報を送信することによって衝突を回避し得る。
【００６４】
[0087]ＳＲＳ、ＰＵＳＣＨ、およびＰＵＣＣＨを送信すべきか送信するのを控えるべきかの決定は、ＴＡグループ間のタイミング差の大きさに基づき得る。ＴＡグループのペア間のタイミング差の大きさは、共通の基準時間に基づくＴＡグループ間の絶対タイミング差として測定され得る。ＴＡグループのペア間のタイミング差の大きさは、第２のＴＡグループに対応するタイミングオフセットから第１のＴＡグループに対応するタイミングオフセットを減算することによって測定され、したがって、正値は第２のグループが第１のグループより遅れることを示し、負値は第１のグループが第２のグループより遅れることを示す。タイミング差の符号はまた、オーバーラップするシンボルおよびサブフレームを識別するために使用され得る。
【００６５】
[0088]ＳＲＳ、ＰＵＣＣＨまたはＰＵＳＣＨを送信すべきか送信するのを控えるべきかの決定は、２つのＴＡグループ間の絶対的タイミングオフセットの大きさに少なくとも部分的に基づき得る。たとえば、この決定は、タイミング差が１つまたは複数のしきい値よりも大きいか、それに等しいか、それよりも小さいかに基づき得る。しきい値は、シンボルの１／２など、シングルキャリア周波数分割多元接続（ＳＣ−ＦＤＭＡ）シンボルの１シンボル期間の一部分を表すように選択され得る。
【００６６】
[0089]ＰＵＣＣＨまたはＰＵＳＣＨのうちの１つまたは複数が、同じＴＡグループ中のサブフレームの最後のシンボル中で送信されているとき、ＵＥはサブフレーム中でＳＲＳを送信するのを控え得る。ＰＵＣＣＨまたはＰＵＳＣＨがサブフレームの最後のシンボル中で送信されていないとき、ＴＡグループ中で１つまたは複数のＳＲＳが送信され得る。１つまたは複数のＰＵＣＣＨまたはＰＵＳＣＨが、異なるＴＡグループ中のサブフレームの最後のシンボル中で送信されているとき、ＵＥは、第１のＴＡグループ中でＳＲＳを送信するのを控え得る。ＰＵＣＣＨまたはＰＵＳＣＨがいかなるＴＡグループ中のサブフレームの最後のシンボル中でも送信されないときでも、ＵＥは、ＴＡグループ間のタイミング差から衝突が起こるのを回避するために、いかなるＴＡグループ中でもＳＲＳを送信するのを控え得る。いくつかの実施形態では、ＵＥは、衝突が検出された場合のみ、いかなるＴＡグループ中でもＳＲＳを送信するのを控え得る。
【００６７】
[0090]図１１Ａおよび図１１Ｂを参照すると、部分的ＳＲＳを送ることによって、第１のＴＡグループ中で送信されるＳＲＳと、第２のＴＡグループ中で送信されるデータまたは制御情報との間の衝突が回避され得る。部分的ＳＲＳは、任意の所望の持続時間またはあらかじめ定義された持続時間をもち、あるいは２つのＴＡグループ間のタイミング差に基づいて選択され得る。図１１Ａおよび図１１Ｂに示すように、ＳＲＳ１１０８の時間期間はハーフシンボル期間に設定され得る。図１１Ａでは、ハーフシンボルＳＲＳ１１０８は、異なるＴＡグループのコンポーネントキャリア１１００に対して遅延されたコンポーネントキャリア１１０６中で送信される。コンポーネントキャリア１１０６中のサブフレームの最後のシンボルは、コンポーネントキャリア１１００中の対応するサブフレームの最後のシンボル１１０２と、コンポーネントキャリア１１００の次のサブフレームの最初のシンボル１１０４の両方とオーバーラップする。ＵＥは、コンポーネントキャリア１１０６中のサブフレームの最後のシンボルの第１の半分（ハーフ）１１０８中でＳＲＳを送信することによって、シンボル１１０４におけるデータまたは制御情報とのＳＲＳ衝突を回避し、コンポーネントキャリア１１０６中のサブフレームの最後のシンボルの第２の半分１１１０中でＳＲＳを抑制し得る。図１１Ｂでは、ハーフシンボルＳＲＳ１１２２がコンポーネントキャリア１１１８中で送信され、一方、異なるＴＡグループのコンポーネントキャリア１１１２は、コンポーネントキャリア１１１８に対してずれて（offset）いる。コンポーネントキャリア１１１８中のサブフレームの最後のシンボルは、コンポーネントキャリア１１１２中の対応するサブフレームの最後のシンボル１１１６と最後から２番目のシンボル１１１４との両方とオーバーラップする。ＵＥは、コンポーネントキャリア１１１８中のサブフレームの最後のシンボルの第２の半分１１２２中でＳＲＳを送信することによって、シンボル１１１４におけるデータまたは制御情報との衝突を回避し、コンポーネントキャリア１１００中のサブフレームの最後のシンボルの第１の半分１１２０中でＳＲＳを抑制し得る。
【００６８】
[0091]ハーフシンボルＳＲＳは、ＵＥが衝突を検出したとき、２つのＴＡグループが定義されたとき、または衝突をもたらし得る２つのＴＡグループ間でオフセットが検出されたとき、送信され得る。ＵＥは、衝突に関与する２つのコンポーネントキャリア間のオフセットの差の符号に基づいて、どのシンボルハーフがハーフシンボルＳＲＳを搬送するかを決定し得る。ＵＥは、オフセットの存在と、衝突に関与する２つのコンポーネントキャリアのタイミングオフセットの差の符号と、ｅＮＢへのハーフシンボルＳＲＳの送信とのうちの１つまたは複数を通信し得る。ｅＮＢは、複数のＵＥにわたってＳＲＳ送信の直交性を維持し得、フルシンボルＳＲＳと、第１のハーフシンボル（１１０８）中のＳＲＳをもつハーフシンボルＳＲＳと、第２のハーフシンボル１１２２中のＳＲＳをもつハーフシンボルＳＲＳとを含む、ＳＲＳフォーマットの組合せをサポートするように構成可能であり得る。ｅＮＢは、ハーフシンボルＳＲＳが使用されるとき、２つの利用可能な送信組合せのうちの１つを無効にし得る。ｅＮＢは、すべてのＳＲＳ送信機会においてハーフシンボルＳＲＳを使用するようにＵＥを構成し得る。ｅＮＢはまた、いくつかのＳＲＳ送信機会ではハーフシンボルＳＲＳを使用し、いくつかの他のＳＲＳ送信機会ではフルシンボルＳＲＳを使用するようにＵＥを構成し得る。
【００６９】
[0092]図１１Ｃおよび図１１Ｄを参照すると、第２のＴＡグループの衝突シンボル中でデータまたは制御情報を送信するのを控えることによって、第１のＴＡグループ中で送信されるＳＲＳと、第２のＴＡグループ中で送信されるデータまたは制御情報との間の衝突が回避され得る。図１１Ｃでは、ＴＡグループ１１２４はＴＡグループ１１３０より進み、ＰＵＣＣＨまたはＰＵＳＣＨがシンボル１１２８中で送信された場合、ＳＲＳ１１３２と次のサブフレームの最初のシンボル１１２８との間の衝突が生じるであろう。ＵＥは、ＳＲＳを搬送しているサブフレームに対応するサブフレームの最後のシンボル１１２６と、次のサブフレームの最初のシンボル１１２８とにおいてデータまたは制御情報を送信するのを控え得る。図１１Ｄでは、ＴＡグループ１１４０はＴＡグループ１１３４より進み、ＰＵＣＣＨまたはＰＵＳＣＨがシンボル１１３６中で送信された場合、ＴＡグループ１１４０中のＳＲＳ１１４２と、ＴＡグループ１１３４中の対応するサブフレームの最後から２番目のシンボル１１３６との間の衝突が生じるであろう。ＵＥは、ＳＲＳを搬送しているＴＡグループ１１４０のサブフレームに対応するＴＡグループ１１３４のサブフレームのシンボル１１３６および１１３８中でデータまたは制御情報を送信するのを控え得る。
【００７０】
[0093]ＳＲＳとＰＵＳＣＨまたはＰＵＣＣＨとの同時送信は、いくつかの条件下で達成され得る。図１２に、ＳＲＳを搬送しているシンボル１２０８と、ＰＵＳＣＨまたはＰＵＣＣＨを搬送しているシンボル１２０４との重複が、比較的短い期間１２１０の間に生じる一例を示す。図示のように、第１のＴＡグループ１２００のサブフレーム中の最後のシンボル１２０２は空であるが、第２のＴＡグループ１２０６のサブフレーム中でＳＲＳを搬送しているシンボル１２０８との間でオーバーラップが生じる。オフセット１２１０が、サイクリックプレフィックス（ＣＰ：cyclic prefix）期間に基づいて計算されたしきい値よりも少ないとき、ＳＲＳは送信され得る。一例では、オフセット１２１０がノーマルＣＰの５μｓ期間または拡張ＣＰの１７μｓ期間よりも少ない場合、ＳＲＳは送信され得る。実際の衝突が検出された場合、短いオーバーラップ中のＳＲＳの送信は許可され得る。ＵＥのために２つ以上のＴＡグループが定義された場合、短いオーバーラップ中のＳＲＳの送信は許可され得る。
【００７１】
[0094]いくつかの実施形態では、ＳＲＳは、ＰＵＳＣＨまたはＰＵＣＣＨと同時に送信され得る。図１３に示すように、ＰＵＳＣＨまたはＰＵＣＣＨが、ＴＡグループ１３００中の第１のサブフレームの最後のシンボル１３０２と次のサブフレームの最初のシンボル１３０４の両方において送信され得る。ＳＲＳが、ＴＡグループ１３０６の対応する第１のサブフレームの最後のシンボル１３０８中で送信され得る。いくつかの実施形態では、ＵＥは、第１のサブフレームの最後のシンボル１３０２中でＰＵＳＣＨまたはＰＵＣＣＨを送信するのを控えるが、ＴＡグループ１３００中の次のサブフレームの最初のシンボル１３０４中でＰＵＳＣＨまたはＰＵＣＣＨを送信し得る。この場合、それらがシンボル期間の一小部分（fraction）中に衝突するとき、同時ＳＲＳおよびＰＵＳＣＨ／ＰＵＣＣＨ送信が可能にされ得る。いくつかの実施形態では、そのような同時送信はＴＡグループ間のために適用され得、それにより、１つのＴＡグループ中のＰＵＳＣＨおよび／またはＰＵＣＣＨは、別のＴＡグループ中のＳＲＳと同時に送信され得る。一般に、１つのＴＡグループ中のＰＵＳＣＨおよび／またはＰＵＣＣＨは、同じＴＡグループ中のＳＲＳと同時に送信され得ない。いくつかの実施形態では、同時送信は、ＰＵＳＣＨ／ＰＵＣＣＨとＳＲＳとがＴＡグループ内とＴＡグループ間の両方において生じることができる場合に行われ得、それにより、ＰＵＳＣＨおよび／またはＰＵＣＣＨとＳＲＳとの同時送信が、同じＴＡグループ中と、異なるＴＡグループ中の両方において可能にされる。同時送信は、ＳＲＳとＰＵＳＣＨおよび／またはＰＵＣＣＨとの間の電力優先度付けを必要とし得る。いくつかの実施形態では、同時送信は、ＳＲＳとＰＵＣＣＨ／ＰＵＳＣＨとが異なるＴＡグループ中で送信される場合に許可される。
【００７２】
[0095]ＳＲＳ、ＰＵＳＣＨ、およびＰＵＣＣＨを送信すべきか送信するのを控えるべきかの決定は、ＵＥが電力制限されるか電力制限されないかに依存し得る。ＵＥが電力制限されないとき、ＳＲＳとＰＵＣＣＨおよび／またはＰＵＳＣＨとの同時送信が可能にされ得る。しかしながら、ＵＥが電力制限されるとき、ＳＲＳとＰＵＣＣＨおよび／またはＰＵＳＣＨとの同時送信を回避するために、ＳＲＳはドロップされ得る。これにより、設計および実装の作業が簡略化され得る。同時送信はさらに、衝突が部分的にオーバーラップするシンボルを伴うように抑制され得る。たとえば、サブフレームの最後のシンボルがＰＵＣＣＨまたはＰＵＳＣＨによって使用されないとき、サブフレーム中の同じ最後のシンボルのＳＲＳは、ＰＵＣＣＨおよび／またはＰＵＳＣＨ送信と部分的にオーバーラップする場合でも送信され得る。しかしながら、サブフレームの最後のシンボルがＰＵＣＣＨまたはＰＵＳＣＨによって使用されるとき、対応するサブフレーム中の最後のシンボルのＳＲＳがドロップされ得る。同時送信はさらに、衝突が異なるＴＡグループに限定されるように抑制され得る。たとえば、１つのＴＡグループ中のＳＲＳが、異なるＴＡグループ中のＰＵＣＣＨおよび／またはＰＵＳＣＨと衝突し得る場合、同時送信は可能にされ得る。ＳＲＳが同じＴＡグループ中のＰＵＣＣＨおよび／またはＰＵＳＣＨと衝突した場合、ＳＲＳはドロップされ得る。
【００７３】
[0096]ＴＡグループ１３００とＴＡグループ１３０６との間にタイミングオフセット１３１０が存在する場合、ＴＡグループ１３０６中のサブフレームの最後のシンボル１３０８で送信されるＳＲＳと、ＴＡグループ１３００中の対応するサブフレームの最後のシンボル１３０２中で送信されるＰＵＳＣＨまたはＰＵＣＣＨ、ならびにＴＡグループ１３００中の次のサブフレームの最初のシンボル１３０４中で送信されるＰＵＳＣＨまたはＰＵＣＣＨとの間で、電力優先度付けが必要とされ得る。
【００７４】
[0097]ＵＥは、ＴＡグループに関係するタイミング情報をシグナリングし得る。タイミング情報は周期的にシグナリングされ得る。タイミング情報のシグナリングはイベント駆動であり得、ＵＥは、１つまたは複数の条件の発生時にまたはその後にタイミング情報をシグナリングし得る。ＵＥによってシグナリングされるタイミング情報は、ＵＥのために定義されたＴＡグループの一部または全部のための現在のタイミング状態を含み得る。タイミング情報は、別のＴＡグループより進むかまたは遅れるＴＡグループと、ＴＡグループ間の実際のタイミング差との指示を含み得る。ＵＥによってシグナリングされるタイミング情報は、１次ＴＡグループが、１つまたは複数の２次ＴＡグループより進むか遅れるかを示し得る。実際のタイミング差は、実際の観測されたタイミング差であり得、それは量子化され得る。ノーマルサイクリックプレフィックスの例では、タイミング差が＋５μｓよりも大きいか、０μｓと＋５μｓとの間にあるか、０μｓと−５μｓとの間にあるか、または−５μｓよりも大きいかをシグナリングするために２ビットが使用され得、それにより、符号は、どのＴＡグループが他のＴＡグループより進むか遅れるかを示す。より多くの解像度を得るためにより多くのビットが使用され得る。たとえば、８ビット信号は、｛＜−３０，−３０，−２８，．．．，−２，０，２，４．．．，３０，３０＋｝μｓなど時間値のセットを表すためにコーディングされた２μｓ解像度を与えることができる。
【００７５】
[0098]タイミング情報は、ＭＡＣペイロードまたは物理レイヤチャネル中でシグナリングされ得る。一般に、アップリンクタイミング情報は、動的に変化することが期待されない。タイミング情報をシグナリングするためのＭＡＣペイロードの使用は、ＵＥが詳細なタイミング情報を搬送することを可能にする。物理レイヤチャネル中のＳＲ送信は、再割り当てされるか、またはさもなければタイミング情報をシグナリングするために使用され得る。たとえば、ＰＵＣＣＨフォーマット３で送信される１０個のＳＲ送信インスタンスのうちの１つは、１つまたは複数の２次コンポーネントキャリアを備えるＴＡグループが、１次コンポーネントキャリアを含むＴＡグループに対して進むか遅れるかを示すシングルビットの形態でアップリンク送信タイミング情報を搬送するように再定義され得る。
【００７６】
[0099]ＵＥのために最大送信タイミング差しきい値が定義され得る。ＵＥは、ＴＡグループ間で送信タイミング差の最大しきい値を強制するように構成され得、ＵＥは、しきい値が超えられたか否かをシグナリングし得る。しきい値は、ＵＥによって複数のＴＡコマンドが受信されたときに超えられ得、ＴＡコマンドの蓄積効果により、タイミング差は、ＴＡグループの最大しきい値タイミング差を超える。たとえば、１次ＴＡグループがすでに２次ＴＡグループよりも２０μｓだけ進んでいるときに、１次ＴＡグループのタイミングを１５μｓだけ進めるためのＴＡコマンドの受信は、ＵＥがそのＴＡコマンドに忠実に従った場合、タイミング差が、３０μｓ最大しきい値差を超えることを引き起こすであろう。
【００７７】
[00100]ＵＥは、ＴＡグループ間のタイミング差に対して制限を強制するように構成され得、ＵＥは、「しきい値飽和した」ＴＡコマンドを無視するかまたは部分的に実装し得る。ＵＥが、１次ＴＡグループのために受信されるＴＡコマンド（ＴＡ＿Ｐコマンド）を受信したとき、ＵＥは、ＴＡ＿Ｐコマンドに基づいて１次ＴＡグループのアップリンク送信タイミングを設定し、アップリンク送信タイミング差がしきい値最大値を超えないように１つまたは複数の２次ＴＡグループのアップリンク送信タイミングを調整し得る。たとえば、１５μｓ  ＴＡ＿Ｐが３５μｓアップリンク送信タイミング差を生じ得るとき、１次ＴＡグループのタイミングは１５μｓだけ進められ得、２次ＴＡグループのタイミングは、タイミング差を３０μｓ最大差内に維持するように−５μｓだけ調整され得る。
【００７８】
[00101]ＵＥが、２次ＴＡグループのために受信されるＴＡコマンド（ＴＡ＿Ｓコマンド）を受信したとき、ＵＥは、ＴＡ＿Ｓコマンドに基づいて２次ＴＡグループのアップリンク送信タイミングを設定し、アップリンク送信タイミング差がしきい値最大値を超えないように１次ＴＡグループのアップリンク送信タイミングを調整し得る。いくつかの実施形態では、アップリンク送信タイミング差がしきい値最大差を超えることを引き起こし得るＴＡ＿Ｓコマンドが部分的に実装され得、たとえば、２次ＴＡグループタイミングを１５μｓだけ進めるＴＡ＿Ｓ命令が、アップリンク送信タイミング差がしきい値最大差を５μｓだけ超えることを引き起こすとき、ＵＥが２次ＴＡグループタイミングを１０μｓだけ進め得る。
【００７９】
[00102]ＵＥは、アップリンク送信タイミング差がしきい値最大差を超えることを一緒に引き起こし得るＴＡ＿ＰコマンドとＴＡ＿Ｓコマンドとを受信したとき、ＵＥは、ＴＡ＿Ｐコマンドに基づいて１次ＴＡグループのアップリンク送信タイミングを設定し、アップリンク送信タイミング差がしきい値最大値を超えないように２次ＴＡグループのアップリンク送信タイミングを調整し得る。ＵＥは、アップリンク送信タイミング差がしきい値最大差を超えることを一緒に引き起こし得るＴＡ＿ＰコマンドとＴＡ＿Ｓコマンドとを受信したとき、ＵＥは、アップリンク送信タイミング差がしきい値最大値を超えないことを保証する、１次ＴＡグループと２次ＴＡグループとのためのアップリンク送信タイミングの任意の組合せを適用し得る。
【００８０】
[00103]ＵＥはまた、それがＴＡコマンドを処理し得るとき、任意の自動送信タイミング調整を処理し得る。ＵＥは、たとえば、異なるダウンリンク基準タイミングが受信されたときを含む、いくつかの条件下で、アップリンク送信タイミングを（一般に２μｓの増分で）調整し得る。ＴＡコマンドの場合と同様に、ＵＥは、アップリンク送信タイミング差がしきい値最大値を超えないことを保証するために、ＴＡグループアップリンク送信タイミングのうちの１つを所望の増分だけ選択的に調整しながら、異なるＴＡグループのタイミングを調整し得る。ＵＥはまた、アップリンク送信タイミング差がしきい値最大値を超えないことを保証するために、両方のＴＡグループのアップリンク送信タイミングを調整し得る。
【００８１】
[00104]ＵＥは、アップリンク送信タイミング差が正または負であることのみを可能にされるように構成されるか、またはそのことを指示され得る。たとえば、ＵＥが１次ＴＡグループと２次ＴＡグループとで構成された場合、ＵＥは、１次ＴＡグループがアップリンク送信タイミングにおいて常に２次ＴＡグループより進むように構成されるか、またはそのことを指示され得る。代替的に、ＵＥは、１次ＴＡグループが常に２次ＴＡグループより遅れるように構成されるか、またはそのことを指示され得る。この片側アップリンク送信タイミング差は、電力優先度付けとアップリンク送信とを簡略化するであろう。一例として、アップリンクにおいて１次ＴＡグループ中で展開された中継器はあるが、アップリンクにおいて２次ＴＡグループ中で展開された中継器がない場合、ＵＥは、一般に、１次ＴＡグループが２次ＴＡグループよりも多くの遅延を有するであろうことを予想することができる。その結果、ＵＥは、中継器によって導入される追加の遅延を補償するために１次ＴＡグループが常に２次ＴＡグループより進むことを通知され得る。
【００８２】
[00105]図１４Ａおよび図１４Ｂに示すように、ＵＥは、時分割複信（ＴＤＤ）のためにアップリンクパイロットタイムスロット（ＵｐＰＴＳ：uplink pilot timeslot）を与え得る。ＵｐＰＴＳは、アップリンクキャリアの最後のシンボル１４０４および１４１８中で、および最後から２番目のシンボル１４０２および１４１６中で搬送され得る。ＵｐＰＴＳは一般にＰＵＣＣＨまたはＰＵＳＣＨを搬送しないので、ＵＥは、ＵｐＰＴＳ競合のために特殊なルールを適用し得る。図１４Ａでは、ＴＡグループ１４００はＴＡグループ１４０８より進み、ＴＡグループ１４０８のサブフレーム中の最後のシンボル１４１２は、ＴＡグループ１４００中の次のサブフレームの最初のシンボル１４０６の一部分とオーバーラップする。ＵＥは、最後から２番目のシンボル１４１０中でＳＲＳを送信することによってＳＲＳとＰＵＣＣＨまたはＰＵＳＣＨとの間の競合を回避し得る。
【００８３】
[00106]図１４Ｂでは、ＴＡグループ１４２２はＴＡグループ１４１４より進み、最後のシンボル１４２６と、ＴＡグループ１４１４中の次のサブフレームの最初のシンボル１４２０との間に競合はない。ＵＥは、最後のシンボル１４２６中でＳＲＳを送信し得る。いくつかの実施形態では、ＵＥは、ＳＲＳ送信へのダウンリンク干渉が許容され得るという条件で、ＴＡグループ１４２２中のサブフレームの最後の２つのシンボル１４２４および１４２６の両方においてＳＲＳを送信し得る。
【００８４】
[00107]図１４Ａに示すＵｐＰＴＳと同時のＳＲＳの送信は、同じかあるいは異なるアップリンクおよびダウンリンク構成を使用するＴＤＤキャリアアグリゲーションにおいて採用され得る。ＵｐＰＴＳと同時のＳＲＳの送信は、異なる切替え周期性が使用されるとき、ＴＤＤキャリアアグリゲーションにおいて採用され得る。
【００８５】
[00108]図１５は、ワイヤレス通信の方法のフローチャート１５００である。本方法はＵＥによって実行され得る。ステップ１５０２において、ＵＥは、複数のコンポーネントキャリアのために構成されたアップリンクタイミンググループの数を決定する。
【００８６】
[00109]ステップ１５０４において、ＵＥは、アップリンクタイミンググループの数に少なくとも部分的に基づいて、複数のコンポーネントキャリアのうちの１つまたは複数の第２のコンポーネントキャリア上でサウンディング基準信号（ＳＲＳ）と同時に、複数のコンポーネントキャリアのうちの１つまたは複数の第１のコンポーネントキャリア上でデータまたは制御情報のうちの少なくとも１つを送信すべきかどうかを決定する。
【００８７】
[00110]ステップ１５０６において、ＵＥがただ１つのアップリンクタイミンググループを決定した（第１のコンポーネントキャリアと第２のコンポーネントキャリアとのタイミングが同じである）場合、ステップ１５０８において、ＵＥは、データまたは制御情報が１つまたは複数の第１のコンポーネントキャリア上のシンボル中で送信されたとき、１つまたは複数の第２のコンポーネントキャリア上のシンボル中でＳＲＳを送信するのを控える。
【００８８】
[00111]ステップ１５０６において、ＵＥが少なくとも２つのアップリンクタイミンググループを決定した場合、ＵＥは、ステップ１５１０において、１つまたは複数の第１のコンポーネントキャリアと１つまたは複数の第２のコンポーネントキャリアとが異なるコンポーネントキャリアを備えるかどうかを決定する。一例では、１つまたは複数の第１のコンポーネントキャリアと１つまたは複数の第２のコンポーネントキャリアとは同じアップリンクタイミンググループに関連し得る。別の例では、１つまたは複数の第１のコンポーネントキャリアと１つまたは複数の第２のコンポーネントキャリアとは異なるアップリンクタイミンググループに関連し得る。
【００８９】
[00112]１つまたは複数の第１のコンポーネントキャリアと１つまたは複数の第２のコンポーネントキャリアとが異なるコンポーネントキャリアを備える場合、ステップ１５１４において、ＵＥは、１つまたは複数の第１のコンポーネントキャリア上でデータまたは制御情報のうちの少なくとも１つと同時に、１つまたは複数の第２のコンポーネントキャリア上でＳＲＳを送信する。１つまたは複数の第１のコンポーネントキャリアと１つまたは複数の第２のコンポーネントキャリアとが少なくとも１つの共通コンポーネントキャリアを備える場合、ステップ１５１２において、ＵＥは、データまたは制御情報が１つまたは複数の第１のコンポーネントキャリア上のシンボル中で送信されたとき、１つまたは複数の第２のコンポーネントキャリア上でＳＲＳを送信するのを控える。
【００９０】
[00113]いくつかの実施形態では、ＵＥは、ＵＥが、ＳＲＳと同時にデータまたは制御情報のうちの少なくとも１つを送信するのを電力制限されるかどうかに基づいて、１つまたは複数の第２のコンポーネントキャリア上でＳＲＳと同時に、１つまたは複数の第１のコンポーネントキャリア上でデータまたは制御情報のうちの少なくとも１つを送信すべきかどうかを決定する。ＵＥが電力制限されないとき、ＳＲＳとデータまたは制御情報のうちの少なくとも１つとは同時に送信され得、ＵＥが電力制限されるとき、ＵＥは、ＳＲＳと、データまたは制御情報のうちの少なくとも１つとを同時に送信するのを控え得る。
【００９１】
[00114]いくつかの実施形態では、アップリンクタイミンググループの数は、上位レイヤシグナリング構成に基づいて決定される。ＵＥは、１つまたは複数の第１のコンポーネントキャリアに関連するアップリンクタイミングと１つまたは複数の第２のコンポーネントキャリアに関連するアップリンクタイミングとの間の差を示す情報をｅＮＢに送信し得る。
【００９２】
[00115]図１６は、ワイヤレス通信の方法のフローチャート１６００である。本方法はＵＥによって実行され得る。ステップ１６０２において、ＵＥは、複数のコンポーネントキャリアのために構成されたアップリンクタイミンググループの数を決定する。
【００９３】
[00116]ステップ１６０４において、ＵＥは、複数のコンポーネントキャリアのうちの少なくとも１つのためのタイミングアドバンスコマンドを受信する。タイミングアドバンスコマンドは第１のコンポーネントキャリアを対象とし得る。
【００９４】
[00117]ステップ１６０６において、ＵＥは、タイミングアドバンスコマンドが適用される場合、適用後の、１つまたは複数の第１のコンポーネントキャリアのアップリンクタイミングと１つまたは複数の第２のコンポーネントキャリアのアップリンクタイミングとの間の差に基づいて、タイミングアドバンスコマンドを適用すべきかどうかを決定する。
【００９５】
[00118]ステップ１６０８において、ＵＥは、１つまたは複数の第１のコンポーネントキャリアのアップリンクタイミングにタイミングアドバンスコマンドを適用する。
【００９６】
[00119]ステップ１６１０において、ＵＥは、１つまたは複数の第１のコンポーネントキャリアのアップリンクタイミングと１つまたは複数の第２のコンポーネントキャリアのアップリンクタイミングとの間のタイミング差がしきい値よりも大きいかどうかを決定する。タイミング差がしきい値を超えた場合、ステップ１６１２において、ＵＥは、１つまたは複数の第２のコンポーネントキャリアのアップリンクタイミングをシフトする。一例では、１つまたは複数の第２のコンポーネントキャリアのアップリンクタイミングがシフトされて、当該しきい値以下である、１つまたは複数の第１のコンポーネントキャリアのアップリンクタイミングと１つまたは複数の第２のコンポーネントキャリアのアップリンクタイミングとの間の差を取得する。
【００９７】
[00120]図１７は、ワイヤレス通信の方法のフローチャート１７００である。本方法はＵＥによって実行され得る。ステップ１７０２において、ＵＥは、複数のコンポーネントキャリアのために構成されたアップリンクタイミンググループの数を決定する。
【００９８】
[00121]ステップ１７０４において、ＵＥは、複数のコンポーネントキャリアのうちの少なくとも１つのためのタイミングアドバンスコマンドを受信する。タイミングアドバンスコマンドは、１つまたは複数の第１のコンポーネントキャリアを対象とし得る。
【００９９】
[00122]ステップ１７０６において、ＵＥは、タイミングアドバンスコマンドが適用される場合、適用後の、１つまたは複数の第１のコンポーネントキャリアのアップリンクタイミングと１つまたは複数の第２のコンポーネントキャリアのアップリンクタイミングとの間の差に基づいて、タイミングアドバンスコマンドを適用すべきかどうかを決定する。
【０１００】
[00123]ステップ１７０８において、ＵＥは、１つまたは複数の第１のコンポーネントキャリアのアップリンクタイミングにタイミングアドバンスコマンドを適用する。
【０１０１】
[00124]ステップ１７１０において、ＵＥは、１つまたは複数の第１のコンポーネントキャリアのアップリンクタイミングと１つまたは複数の第２のコンポーネントキャリアのアップリンクタイミングとの間のタイミング差がしきい値よりも大きいかどうかを決定する。タイミング差がしきい値を超えた場合、ステップ１７１２において、ＵＥは、１つまたは複数の第１のコンポーネントキャリアのアップリンクタイミングをシフトする。一例では、１つまたは複数の第１のコンポーネントキャリアのアップリンクタイミングがシフトされて、しきい値以下である、１つまたは複数の第１のコンポーネントキャリアのアップリンクタイミングと１つまたは複数の第２のコンポーネントキャリアのアップリンクタイミングとの間の差を取得する。
【０１０２】
[00125]いくつかの実施形態では、第１のコンポーネントキャリアと第２のコンポーネントキャリアとの両方のためのタイミングアドバンスコマンドが受信される。タイミングアドバンスコマンドはそれぞれのコンポーネントキャリアのアップリンクタイミングに適用され得、ＵＥは、第１のコンポーネントキャリアのアップリンクタイミングと第２のコンポーネントキャリアのアップリンクタイミングとの間の差がしきい値よりも大きいとき、第１のコンポーネントキャリアと第２のコンポーネントキャリアとの相対的アップリンクタイミングを調整し得る。たとえば、ＵＥは、しきい値以下である、第１のコンポーネントキャリアと第２のコンポーネントキャリアとのアップリンクタイミング間の差を取得するために、第１のコンポーネントキャリアまたは第２のコンポーネントキャリアのうちの少なくとも１つのアップリンクタイミングをシフトし得る。いくつかの実施形態では、第１のコンポーネントキャリアと第２のコンポーネントキャリアとのアップリンクタイミング間の差がしきい値よりも大きいとき、第２のコンポーネントキャリアのアップリンクタイミングのみがシフトされる。
【０１０３】
[00126]図１８は、モジュール／手段／コンポーネントの組合せを備える例示的な装置１８２２を示す概念流れ図１８００である。本装置１８２２はＵＥであり得る。装置１８２２は、ダウンリンクサブフレームを受信するモジュール１８０２と、アップリンクＴＡグループ間の時間差を決定するモジュール１８０４と、ＳＲＳをシンボルの一部分中で選択的に送信させるモジュール１８０６と、ＳＲＳを送信または抑制させるモジュール１８０８と、データおよび制御情報を送信または抑制させるモジュール１８１２と、１つまたは複数のＴＡグループのためのアップリンク送信タイミングを調整し、ｅＮＢにタイミング情報を報告するモジュール１８１４と、送信電力に優先度を付けるモジュール１８１６と、アップリンクサブフレームの送信を制御するモジュール１８１８と、を含む。
【０１０４】
[00127]本装置は、上述のフローチャート図１５〜図１７中のアルゴリズムのステップの各々を実行する追加のモジュールを含み得る。したがって、上述のフローチャート図１５〜図１７の中の各ステップはモジュールによって実行され得、装置１８２２は、それらのモジュールのうちの１つまたは複数を含み得る。モジュールは、前述のプロセス／アルゴリズムを行うように特に構成された１つまたは複数のハードウェア構成要素であるか、前述のプロセス／アルゴリズムを実行するように構成されたプロセッサによって実装されるか、プロセッサによる実装のためにコンピュータ可読媒体１８３０内に記憶されるか、またはそれらの何らかの組合せであり得る。
【０１０５】
[00128]図１９は、処理システム１９１４を採用する装置１８０２’のためのハードウェア実装形態の一例を示す図１９００である。処理システム１９１４は、バス１９２４によって概略的に表されるバスアーキテクチャを用いて実装され得る。バス１９２４は、処理システム１９１４の特定の適用例および全体的な設計制約に応じて、任意の数の相互接続バスおよびブリッジを含み得る。バス１９２４は、プロセッサ１９０４、モジュール１８０４、１８０６、１８０８、１８１０、１８１２、１８１４、およびコンピュータ可読媒体１９０６によって表される１つまたは複数のプロセッサおよび／またはハードウェアモジュールを含む様々な回路を互いにリンクする。バス１９２４はまた、タイミングソース、周辺機器、電圧調整器、および電力管理回路など、様々な他の回路をリンクし得るが、これらの回路は当技術分野においてよく知られており、したがって、これ以上説明しない。
【０１０６】
[00129]処理システム１９１４はトランシーバ１９１０に結合され得る。トランシーバ１９１０は１つまたは複数のアンテナ１９２０に結合される。トランシーバ１９１０は、伝送媒体を介して様々な他の装置と通信するための手段を与える。処理システム１９１４は、コンピュータ可読媒体１９０６に結合されたプロセッサ１９０４を含む。プロセッサ１９０４は、コンピュータ可読媒体１９０６に記憶されたソフトウェアの実行を含む一般的な処理を担当する。ソフトウェアは、プロセッサ１９０４によって実行されたとき、処理システム１９１４に、特定の装置のための上記で説明した様々な機能を実行させる。コンピュータ可読媒体１９０６はまた、ソフトウェアを実行するときにプロセッサ１９０４によって操作されるデータを記憶するために使用され得る。処理システムは、モジュール１８０４、１８０６、１８０８、１８１０、１８１２、および１８１４のうちの少なくとも１つをさらに含む。モジュールは、プロセッサ１９０４中で動作するか、コンピュータ可読媒体１９０６中に常駐する／記憶されたソフトウェアモジュールであるか、プロセッサ１９０４に結合された１つまたは複数のハードウェアモジュールであるか、またはそれらの何らかの組合せであり得る。処理システム１９１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【０１０７】
[00130]一構成では、ワイヤレス通信のための装置１８０２／１８０２’は、タイミングアドバンスコマンドを含むメッセージを受信するための手段１８０４と、アップリンクタイミンググループの数を判断するための手段１８０６と、別のコンポーネントキャリア上でＳＲＳと同時に、コンポーネントキャリア上でデータまたは制御情報を送信すべきかどうかを判断するための手段１８０６、１８１２と、送信のためにＳＲＳを与えるための手段１８０８と、送信のためにデータまたは制御情報を与えるための手段１８１０と、電力制御を判断し、実施するための手段１８１２と、ＳＲＳおよび／またはデータまたは制御情報を送信するための手段１８１４とを含む。
【０１０８】
[00131]上述の手段は、上述の手段によって具陳される機能を実行するように構成された、装置１８０２、および／または装置１８０２’の処理システム１９１４の上述のモジュールのうちの１つまたは複数であり得る。上記で説明したように、処理システム１９１４は、ＴＸプロセッサ６６８と、ＭＩＭＯプロセッサ６６６と、ＭＩＭＯ検出器６５６と、ＲＸプロセッサ６５８と、コントローラ／プロセッサ６５９とを含み得る。したがって、一構成では、上述の手段は、上述の手段によって具陳される機能を実行するように構成された、ＴＸプロセッサ６６８と、ＲＸプロセッサ６５６と、コントローラ／プロセッサ６５９とであり得る。メッセージを受信するための手段１８０４は、ＭＩＭＯ検出器６５６と、ＲＸプロセッサ６５８と、コントローラ／プロセッサ６５９と、メモリ６８２とに加えて、少なくとも１つのアンテナまたはアンテナアレイ６５２ａを含み得る。送信するための手段１８１４は、ＴＸプロセッサ６６８と、ＭＩＭＯプロセッサ６６６と、コントローラ／プロセッサ６５９と、メモリ６８２とに加えて、少なくとも１つのアンテナまたはアンテナアレイ６５２ｒを備え得る。手段１８０６、１８１２、および１８０８は、ネットワークから受信された制御および構成情報に基づいて、データソース６６２から受信されたデータを処理するために、ＴＸプロセッサ６６８とＭＩＭＯプロセッサ６６６と変調器／復調器６５４ｒとの動作を制御するように構成され得る、コントローラ／プロセッサ６５９およびメモリ６８２を備え得る。
【０１０９】
[00132]開示したプロセスにおけるステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【０１１０】
[00133]以上の説明は、本明細書で説明した様々な態様を当業者が実施できるように与えたものである。これらの態様に対する様々な修正は当業者には容易に明らかになり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的等価物は、参照により本明細書に明確に組み込まれ、特許請求の範囲に包含されるものである。さらに、本明細書に開示するいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
【０１１１】
[00134]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１１２】
[00135]さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【０１１３】
[00136]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１１４】
[00137]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別コンポーネントとして常駐し得る。
【０１１５】
[00138]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【０１１６】
[00139]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
以下に、出願当初の特許請求の範囲に記載された発明を付記する。
［Ｃ１］
複数のコンポーネントキャリアのために構成されたアップリンクタイミンググループの数を決定することと、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定することと、
を備える、ワイヤレス通信の方法。
［Ｃ２］
前記アップリンクタイミンググループの数は上位レイヤシグナリング構成に基づいて決定される、Ｃ１に記載の方法。
［Ｃ３］
ただ１つのアップリンクタイミンググループが決定され、
前記データまたは前記制御情報のうちの前記少なくとも１つが前記１つまたは複数の第１のコンポーネントキャリア上の前記シンボル中で送信されないとき、前記１つまたは複数の第２のコンポーネントキャリア上のシンボル中で前記ＳＲＳを送信することと、
前記データまたは前記制御情報のうちの前記少なくとも１つが前記１つまたは複数の第１のコンポーネントキャリア上の前記シンボル中で送信されるとき、前記１つまたは複数の第２のコンポーネントキャリア上の前記シンボル中で前記ＳＲＳを送信するのを控えることと、をさらに備える、Ｃ１に記載の方法。
［Ｃ４］
少なくとも２つのアップリンクタイミンググループが決定され、
前記１つまたは複数の第１のコンポーネントキャリアと前記１つまたは複数の第２のコンポーネントキャリアとが異なるコンポーネントキャリアを備えるとき、前記１つまたは複数の第１のコンポーネントキャリア上でデータまたは制御情報のうちの少なくとも１つと同時に、前記１つまたは複数の第２のコンポーネントキャリア上でＳＲＳを送信することをさらに備える、Ｃ１に記載の方法。
［Ｃ５］
前記１つまたは複数の第１のコンポーネントキャリアと前記１つまたは複数の第２のコンポーネントキャリアとが同じアップリンクタイミンググループに関連する、Ｃ４に記載の方法。
［Ｃ６］
前記１つまたは複数の第１のコンポーネントキャリアと前記１つまたは複数の第２のコンポーネントキャリアとが異なるアップリンクタイミンググループに関連する、Ｃ４に記載の方法。
［Ｃ７］
前記１つまたは複数の第２のコンポーネントキャリア上で前記ＳＲＳと同時に、前記１つまたは複数の第１のコンポーネントキャリア上で前記データまたは前記制御情報のうちの前記少なくとも１つを送信すべきかどうかを前記決定することは、ユーザ機器（ＵＥ）が、前記ＳＲＳと同時に前記データまたは前記制御情報のうちの前記少なくとも１つを送信するのに電力制限されるかどうかにさらに基づく、Ｃ４に記載の方法。
［Ｃ８］
前記ＵＥが電力制限されないとき、前記ＳＲＳと前記データまたは前記制御情報のうちの前記少なくとも１つとを同時に送信することと、
前記ＵＥが電力制限されるとき、前記ＳＲＳと前記データまたは前記制御情報のうちの前記少なくとも１つとを同時に送信するのを控えることと、をさらに備える、Ｃ７に記載の方法。
［Ｃ９］
前記１つまたは複数の第１のコンポーネントキャリアに関連するアップリンクタイミングと前記１つまたは複数の第２のコンポーネントキャリアに関連するアップリンクタイミングとの間の差を示す情報を発展型ノードＢ（ｅＮＢ）に送信することをさらに備える、Ｃ１に記載の方法。
［Ｃ１０］
前記複数のコンポーネントキャリアのうちの少なくとも１つのためのタイミングアドバンスコマンドを受信することと、
前記タイミングアドバンスコマンドが適用される場合の、前記１つまたは複数の第１のコンポーネントキャリアのアップリンクタイミングと前記１つまたは複数の第２のコンポーネントキャリアのアップリンクタイミングとの間の差に基づいて、前記タイミングアドバンスコマンドを適用すべきかどうかを決定することと、
をさらに備える、Ｃ１に記載の方法。
［Ｃ１１］
前記タイミングアドバンスコマンドは前記１つまたは複数の第１のコンポーネントキャリアのためのものであり、
前記１つまたは複数の第１のコンポーネントキャリアのアップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の差がしきい値よりも大きいとき、前記１つまたは複数の第２のコンポーネントキャリアのアップリンクタイミングをシフトすることと、
をさらに備え、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第２のコンポーネントキャリアの前記アップリンクタイミングはシフトされる、
Ｃ１０に記載の方法。
［Ｃ１２］
受信された前記タイミングアドバンスコマンドは前記１つまたは複数の第１のコンポーネントキャリアのためのものであり、
前記１つまたは複数の第１のコンポーネントキャリアの前記アップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングをシフトすることと、
をさらに備え、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングはシフトされる、
Ｃ１０に記載の方法。
［Ｃ１３］
前記１つまたは複数の第１のコンポーネントキャリアと前記１つまたは複数の第２のコンポーネントキャリアの両方のためのタイミングアドバンスコマンドが受信され、
前記１つまたは複数の第１のコンポーネントキャリアの前記アップリンクタイミングに前記１つまたは複数の第１のコンポーネントキャリアのための前記タイミングアドバンスコマンドを適用することと、
前記１つまたは複数の第２のコンポーネントキャリアの前記アップリンクタイミングに前記１つまたは複数の第２のコンポーネントキャリアのための前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングと前記１つまたは複数の第２のコンポーネントキャリアの前記アップリンクタイミングとのうちの少なくとも１つをシフトすることと、
をさらに備え、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングと前記１つまたは複数の第２のコンポーネントキャリアの前記アップリンクタイミングとのうちの前記少なくとも１つがシフトされる、
Ｃ１０に記載の方法。
［Ｃ１４］
前記１つまたは複数の第１のコンポーネントキャリアの前記アップリンクタイミングと前記１つまたは複数の第２のコンポーネントキャリアの前記アップリンクタイミングとの間の前記差が前記しきい値よりも大きいとき、前記１つまたは複数の第２のコンポーネントキャリアの前記アップリンクタイミングのみがシフトされる、Ｃ１３に記載の方法。
［Ｃ１５］
複数のコンポーネントキャリアのために構成されたアップリンクタイミンググループの数を決定する手段と、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定する手段と、
を備える、ワイヤレス通信のための装置。
［Ｃ１６］
前記アップリンクタイミンググループの数は上位レイヤシグナリング構成に基づいて決定される、Ｃ１５に記載の装置。
［Ｃ１７］
ただ１つのアップリンクタイミンググループが決定され、
前記データまたは前記制御情報のうちの前記少なくとも１つが前記１つまたは複数の第１のコンポーネントキャリア上の前記シンボル中で送信されないとき、前記１つまたは複数の第２のコンポーネントキャリア上のシンボル中で前記ＳＲＳを送信する手段をさらに備え、
前記ＳＲＳを送信する前記手段は、前記データまたは前記制御情報のうちの前記少なくとも１つが前記１つまたは複数の第１のコンポーネントキャリア上の前記シンボル中で送信されたとき、前記１つまたは複数の第２のコンポーネントキャリア上の前記シンボル中で前記ＳＲＳを送信するのを控えるように構成された、Ｃ１５に記載の装置。
［Ｃ１８］
少なくとも２つのアップリンクタイミンググループが決定され、
前記１つまたは複数の第１のコンポーネントキャリアと前記１つまたは複数の第２のコンポーネントキャリアとが異なるコンポーネントキャリアを備えるとき、前記１つまたは複数の第１のコンポーネントキャリア上でデータまたは制御情報のうちの少なくとも１つと同時に、前記１つまたは複数の第２のコンポーネントキャリア上で前記ＳＲＳを送信する手段をさらに備える、Ｃ１５に記載の装置。
［Ｃ１９］
前記１つまたは複数の第１のコンポーネントキャリアと前記１つまたは複数の第２のコンポーネントキャリアとが同じアップリンクタイミンググループに関連する、Ｃ１８に記載の装置。
［Ｃ２０］
前記１つまたは複数の第１のコンポーネントキャリアと前記１つまたは複数の第２のコンポーネントキャリアとが異なるアップリンクタイミンググループに関連する、Ｃ１８に記載の装置。
［Ｃ２１］
前記１つまたは複数の第２のコンポーネントキャリア上で前記ＳＲＳと同時に、前記１つまたは複数の第１のコンポーネントキャリア上で前記データまたは前記制御情報のうちの前記少なくとも１つを送信すべきかどうかを決定する前記手段は、ユーザ機器（ＵＥ）が、前記ＳＲＳと同時に前記データまたは前記制御情報のうちの前記少なくとも１つを送信するのに電力制限されるかどうかにさらに基づく、Ｃ１８に記載の装置。
［Ｃ２２］
前記ＳＲＳを送信する前記手段は、
前記ＵＥが電力制限されないとき、前記ＳＲＳと前記データまたは前記制御情報のうちの前記少なくとも１つとを同時に送信することと、
前記ＵＥが電力制限されるとき、前記ＳＲＳと前記データまたは前記制御情報のうちの前記少なくとも１つとを同時に送信するのを控えることとを行うように構成された、Ｃ２１に記載の装置。
［Ｃ２３］
前記１つまたは複数の第１のコンポーネントキャリアに関連するアップリンクタイミングと前記１つまたは複数の第２のコンポーネントキャリアに関連するアップリンクタイミングとの間の差を示す情報を発展型ノードＢ（ｅＮＢ）に送信する手段をさらに備える、Ｃ１５に記載の装置。
［Ｃ２４］
前記複数のコンポーネントキャリアのうちの少なくとも１つのためのタイミングアドバンスコマンドを受信する手段と、
前記タイミングアドバンスコマンドが適用される場合の、前記１つまたは複数の第１のコンポーネントキャリアのアップリンクタイミングと前記１つまたは複数の第２のコンポーネントキャリアのアップリンクタイミングとの間の差に基づいて、前記タイミングアドバンスコマンドを適用すべきかどうかを決定する手段と、
をさらに備える、Ｃ１５に記載の装置。
［Ｃ２５］
前記タイミングアドバンスコマンドは前記１つまたは複数の第１のコンポーネントキャリアのためのものであり、
前記タイミングアドバンスコマンドを適用すべきかどうかを決定する前記手段は、
前記１つまたは複数の第１のコンポーネントキャリアのアップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の差がしきい値よりも大きいとき、前記１つまたは複数の第２のコンポーネントキャリアのアップリンクタイミングをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第２のコンポーネントキャリアの前記アップリンクタイミングはシフトされる、
Ｃ２４に記載の装置。
［Ｃ２６］
受信された前記タイミングアドバンスコマンドは前記１つまたは複数の第１のコンポーネントキャリアのためのものであり、
前記タイミングアドバンスコマンドを適用すべきかどうかを決定する前記手段は、
前記１つまたは複数の第１のコンポーネントキャリアの前記アップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングはシフトされる、
Ｃ２４に記載の装置。
［Ｃ２７］
前記１つまたは複数の第１のコンポーネントキャリアと前記１つまたは複数の第１のコンポーネントキャリアの両方のためのタイミングアドバンスコマンドが受信され、
前記タイミングアドバンスコマンドを適用すべきかどうかを決定する前記手段は、
前記１つまたは複数の第１のコンポーネントキャリアの前記アップリンクタイミングに前記１つまたは複数の第１のコンポーネントキャリアのための前記タイミングアドバンスコマンドを適用することと、
前記１つまたは複数の第２のコンポーネントキャリアの前記アップリンクタイミングに前記１つまたは複数の第２のコンポーネントキャリアのための前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングと前記１つまたは複数の第２のコンポーネントキャリアの前記アップリンクタイミングとのうちの少なくとも１つをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングと前記１つまたは複数の第２のコンポーネントキャリアの前記アップリンクタイミングとのうちの前記少なくとも１つがシフトされる、
Ｃ２４に記載の装置。
［Ｃ２８］
前記１つまたは複数の第１のコンポーネントキャリアの前記アップリンクタイミングと前記１つまたは複数の第２のコンポーネントキャリアの前記アップリンクタイミングとの間の前記差が前記しきい値よりも大きいとき、前記１つまたは複数の第２のコンポーネントキャリアの前記アップリンクタイミングのみがシフトされる、Ｃ２７に記載の装置。
［Ｃ２９］
複数のコンポーネントキャリアのために構成されたアップリンクタイミンググループの数を決定することと、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定することと
を行うように構成された処理システム
を備える、ワイヤレス通信のための装置。
［Ｃ３０］
前記アップリンクタイミンググループの数が上位レイヤシグナリング構成に基づいて決定される、Ｃ２９に記載の装置。
［Ｃ３１］
ただ１つのアップリンクタイミンググループが決定され、
前記処理システムは、前記データまたは前記制御情報のうちの前記少なくとも１つが前記１つまたは複数の第１のコンポーネントキャリア上の前記シンボル中で送信されないとき、前記１つまたは複数の第２のコンポーネントキャリア上のシンボル中で前記ＳＲＳを送信するように構成され、
前記処理システムは、前記データまたは前記制御情報のうちの前記少なくとも１つが前記１つまたは複数の第１のコンポーネントキャリア上の前記シンボル中で送信されるとき、前記１つまたは複数の第２のコンポーネントキャリア上の前記シンボル中で前記ＳＲＳを送信するのを控えるように構成された、Ｃ２９に記載の装置。
［Ｃ３２］
少なくとも２つのアップリンクタイミンググループが決定され、
前記処理システムは、前記１つまたは複数の第１のコンポーネントキャリアと前記１つまたは複数の第２のコンポーネントキャリアとが異なるコンポーネントキャリアを備えるとき、前記１つまたは複数の第１のコンポーネントキャリア上でデータまたは制御情報のうちの少なくとも１つと同時に、前記１つまたは複数の第２のコンポーネントキャリア上で前記ＳＲＳを送信するように構成された、Ｃ２９に記載の装置。
［Ｃ３３］
前記１つまたは複数の第１のコンポーネントキャリアと前記１つまたは複数の第２のコンポーネントキャリアとが同じアップリンクタイミンググループに関連する、Ｃ３２に記載の装置。
［Ｃ３４］
前記１つまたは複数の第１のコンポーネントキャリアと前記１つまたは複数の第２のコンポーネントキャリアとが異なるアップリンクタイミンググループに関連する、Ｃ３２に記載の装置。
［Ｃ３５］
前記処理システムは、ユーザ機器（ＵＥ）が、前記ＳＲＳと同時に前記データまたは前記制御情報のうちの前記少なくとも１つを送信するのに電力制限されるかどうかにさらに基づいて、前記１つまたは複数の第２のコンポーネントキャリア上で前記ＳＲＳと同時に、前記１つまたは複数の第１のコンポーネントキャリア上で前記データまたは前記制御情報のうちの前記少なくとも１つを送信すべきかどうかを決定するように構成された、Ｃ３２に記載の装置。
［Ｃ３６］
前記処理システムは、
前記ＵＥが電力制限されないとき、前記ＳＲＳと前記データまたは前記制御情報のうちの前記少なくとも１つとを同時に送信することと、
前記ＵＥが電力制限されるとき、前記ＳＲＳと前記データまたは前記制御情報のうちの前記少なくとも１つとを同時に送信するのを控えることと、
を行うように構成された、Ｃ３５に記載の装置。
［Ｃ３７］
前記処理システムは、前記１つまたは複数の第１のコンポーネントキャリアに関連するアップリンクタイミングと前記１つまたは複数の第２のコンポーネントキャリアに関連するアップリンクタイミングとの間の差を示す情報を発展型ノードＢ（ｅＮＢ）に送信するように構成された、Ｃ２９に記載の装置。
［Ｃ３８］
前記処理システムは、
前記複数のコンポーネントキャリアのうちの少なくとも１つのためのタイミングアドバンスコマンドを受信することと、
前記タイミングアドバンスコマンドが適用される場合の、前記１つまたは複数の第１のコンポーネントキャリアのアップリンクタイミングと前記１つまたは複数の第２のコンポーネントキャリアのアップリンクタイミングとの間の差に基づいて、前記タイミングアドバンスコマンドを適用すべきかどうかを決定することと、
を行うように構成された、Ｃ２９に記載の装置。
［Ｃ３９］
前記タイミングアドバンスコマンドは前記１つまたは複数の第１のコンポーネントキャリアのためのものであり、
前記処理システムは、
前記１つまたは複数の第１のコンポーネントキャリアのアップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の差がしきい値よりも大きいとき、前記１つまたは複数の第２のコンポーネントキャリアのアップリンクタイミングをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第２のコンポーネントキャリアの前記アップリンクタイミングがシフトされる、
Ｃ３８に記載の装置。
［Ｃ４０］
受信された前記タイミングアドバンスコマンドは前記１つまたは複数の第１のコンポーネントキャリアのためのものであり、
前記処理システムは、
前記１つまたは複数の第１のコンポーネントキャリアの前記アップリンクタイミングに前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングはシフトされる、
Ｃ３８に記載の装置。
［Ｃ４１］
前記１つまたは複数の第１のコンポーネントキャリアと前記１つまたは複数の第１のコンポーネントキャリアの両方のためのタイミングアドバンスコマンドが受信され、
前記処理システムは、
前記１つまたは複数の第１のコンポーネントキャリアの前記アップリンクタイミングに前記１つまたは複数の第１のコンポーネントキャリアのための前記タイミングアドバンスコマンドを適用することと、
前記１つまたは複数の第２のコンポーネントキャリアの前記アップリンクタイミングに前記１つまたは複数の第２のコンポーネントキャリアのための前記タイミングアドバンスコマンドを適用することと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングと前記１つまたは複数の第２のコンポーネントキャリアの前記アップリンクタイミングとのうちの少なくとも１つをシフトすることと、
を行うように構成され、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングと前記１つまたは複数の第２のコンポーネントキャリアの前記アップリンクタイミングとのうちの前記少なくとも１つはシフトされる、
Ｃ３８に記載の装置。
［Ｃ４２］
前記１つまたは複数の第１のコンポーネントキャリアの前記アップリンクタイミングと前記１つまたは複数の第２のコンポーネントキャリアの前記アップリンクタイミングとの間の前記差が前記しきい値よりも大きいとき、前記１つまたは複数の第２のコンポーネントキャリアの前記アップリンクタイミングのみがシフトされる、Ｃ４１に記載の装置。
［Ｃ４３］
複数のコンポーネントキャリアのために構成されたアップリンクタイミンググループの数を決定するためのコードと、
前記アップリンクタイミンググループの数に少なくとも部分的に基づいて、前記複数のコンポーネントキャリアのうちの１つまたは複数の第２のコンポーネントキャリア上でサウンディング基準信号（ＳＲＳ）と同時に、前記複数のコンポーネントキャリアのうちの１つまたは複数の第１のコンポーネントキャリア上でデータまたは制御情報のうちの少なくとも１つを送信すべきかどうかを決定するためのコードと
を備えるコンピュータ可読媒体
を備える、コンピュータプログラム製品。
［Ｃ４４］
前記アップリンクタイミンググループの数が上位レイヤシグナリング構成に基づいて決定される、Ｃ４３に記載のコンピュータプログラム製品。
［Ｃ４５］
ただ１つのアップリンクタイミンググループが決定され、
前記コンピュータ可読媒体は、
前記データまたは前記制御情報のうちの前記少なくとも１つが前記１つまたは複数の第１のコンポーネントキャリア上の前記シンボル中で送信されないとき、前記１つまたは複数の第２のコンポーネントキャリア上のシンボル中で前記ＳＲＳを送信するためのコードと、
前記データまたは前記制御情報のうちの前記少なくとも１つが前記１つまたは複数の第１のコンポーネントキャリア上の前記シンボル中で送信されるとき、前記１つまたは複数の第２のコンポーネントキャリア上の前記シンボル中で前記ＳＲＳを送信するのを控えるためのコードと、
をさらに備える、Ｃ４３に記載のコンピュータプログラム製品。
［Ｃ４６］
少なくとも２つのアップリンクタイミンググループが決定され、
前記１つまたは複数の第１のコンポーネントキャリアと前記１つまたは複数の第２のコンポーネントキャリアとが異なるコンポーネントキャリアを備えるとき、前記１つまたは複数の第１のコンポーネントキャリア上でデータまたは制御情報のうちの少なくとも１つと同時に、前記１つまたは複数の第２のコンポーネントキャリア上でＳＲＳを送信することをさらに備える、Ｃ４３に記載のコンピュータプログラム製品。
［Ｃ４７］
前記１つまたは複数の第１のコンポーネントキャリアと前記１つまたは複数の第２のコンポーネントキャリアとが同じアップリンクタイミンググループに関連する、Ｃ４６に記載のコンピュータプログラム製品。
［Ｃ４８］
前記１つまたは複数の第１のコンポーネントキャリアと前記１つまたは複数の第２のコンポーネントキャリアとが異なるアップリンクタイミンググループに関連する、Ｃ４６に記載のコンピュータプログラム製品。
［Ｃ４９］
前記１つまたは複数の第２のコンポーネントキャリア上で前記ＳＲＳと同時に、前記１つまたは複数の第１のコンポーネントキャリア上で前記データまたは前記制御情報のうちの前記少なくとも１つを送信すべきかどうかを決定することは、ユーザ機器（ＵＥ）が、前記ＳＲＳと同時に前記データまたは前記制御情報のうちの前記少なくとも１つを送信するのに電力制限されるかどうかにさらに基づく、Ｃ４６に記載のコンピュータプログラム製品。
［Ｃ５０］
前記コンピュータ可読媒体は、
前記ＵＥが電力制限されないとき、前記ＳＲＳと前記データまたは前記制御情報のうちの前記少なくとも１つとを同時に送信するためのコードと、
前記ＵＥが電力制限されるとき、前記ＳＲＳと前記データまたは前記制御情報のうちの前記少なくとも１つとを同時に送信するのを控えるためのコードと、
をさらに備える、Ｃ４９に記載のコンピュータプログラム製品。
［Ｃ５１］
前記コンピュータ可読媒体は、前記１つまたは複数の第１のコンポーネントキャリアに関連するアップリンクタイミングと前記１つまたは複数の第２のコンポーネントキャリアに関連するアップリンクタイミングとの間の差を示す情報を発展型ノードＢ（ｅＮＢ）に送信するためのコードをさらに備える、Ｃ４３に記載のコンピュータプログラム製品。
［Ｃ５２］
前記コンピュータ可読媒体は、
前記複数のコンポーネントキャリアのうちの少なくとも１つのためのタイミングアドバンスコマンドを受信するためのコードと、
前記タイミングアドバンスコマンドが適用される場合の、前記１つまたは複数の第１のコンポーネントキャリアのアップリンクタイミングと前記１つまたは複数の第２のコンポーネントキャリアのアップリンクタイミングとの間の差に基づいて、前記タイミングアドバンスコマンドを適用すべきかどうかを決定するためのコードと、
をさらに備える、Ｃ４３に記載のコンピュータプログラム製品。
［Ｃ５３］
前記タイミングアドバンスコマンドは前記１つまたは複数の第１のコンポーネントキャリアのためのものであり、
前記コンピュータ可読媒体は、
前記１つまたは複数の第１のコンポーネントキャリアのアップリンクタイミングに前記タイミングアドバンスコマンドを適用するためのコードと、
前記１つまたは複数の第１のコンポーネントキャリアの前記アップリンクタイミングと前記１つまたは複数の第２のコンポーネントキャリアの前記アップリンクタイミングとの間の差がしきい値よりも大きいとき、前記１つまたは複数の第２のコンポーネントキャリアのアップリンクタイミングをシフトするためのコードと、
をさらに備え、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第２のコンポーネントキャリアの前記アップリンクタイミングがシフトされる、
Ｃ５２に記載のコンピュータプログラム製品。
［Ｃ５４］
受信された前記タイミングアドバンスコマンドは前記１つまたは複数の第１のコンポーネントキャリアのためのものであり、
前記コンピュータ可読媒体は、
前記１つまたは複数の第１のコンポーネントキャリアの前記アップリンクタイミングに前記タイミングアドバンスコマンドを適用するためのコードと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングをシフトするためのコードと、
をさらに備え、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングはシフトされる、
Ｃ５２に記載のコンピュータプログラム製品。
［Ｃ５５］
前記１つまたは複数の第１のコンポーネントキャリアと前記１つまたは複数の第１のコンポーネントキャリアの両方のためのタイミングアドバンスコマンドが受信され、
前記コンピュータ可読媒体は、
前記１つまたは複数の第１のコンポーネントキャリアの前記アップリンクタイミングに前記１つまたは複数の第１のコンポーネントキャリアのための前記タイミングアドバンスコマンドを適用するためのコードと、
前記１つまたは複数の第２のコンポーネントキャリアの前記アップリンクタイミングに前記１つまたは複数の第２のコンポーネントキャリアのための前記タイミングアドバンスコマンドを適用するためのコードと、
前記１つまたは複数の第１のコンポーネントキャリアの前記アップリンクタイミングと前記１つまたは複数の第２のコンポーネントキャリアの前記アップリンクタイミングとの間の前記差がしきい値よりも大きいとき、前記１つまたは複数の第１のコンポーネントキャリアの前記アップリンクタイミングと前記１つまたは複数の第２のコンポーネントキャリアの前記アップリンクタイミングとのうちの少なくとも１つをシフトするためのコードと、
をさらに備え、
前記しきい値以下である、前記１つまたは複数の第１のコンポーネントキャリアの前記アップリンクタイミングと前記１つまたは複数の第２のコンポーネントキャリアの前記アップリンクタイミングとの間の差を取得するために、前記１つまたは複数の第１のコンポーネントキャリアの前記アップリンクタイミングと前記１つまたは複数の第２のコンポーネントキャリアの前記アップリンクタイミングとのうちの前記少なくとも１つがシフトされる、
Ｃ５２に記載のコンピュータプログラム製品。
［Ｃ５６］
前記１つまたは複数の第１のコンポーネントキャリアの前記アップリンクタイミングと前記１つまたは複数の第２のコンポーネントキャリアの前記アップリンクタイミングとの間の前記差が前記しきい値よりも大きいとき、前記１つまたは複数の第２のコンポーネントキャリアの前記アップリンクタイミングのみがシフトされる、Ｃ５５に記載のコンピュータプログラム製品。
【図１】
0005972998.tif 000002
【図２】
0005972998.tif 000003
【図３】
0005972998.tif 000004
【図４】
0005972998.tif 000005
【図５】
0005972998.tif 000006
【図６】
0005972998.tif 000007
【図７】
0005972998.tif 000008
【図８Ａ】
0005972998.tif 000009
【図８Ｂ】
0005972998.tif 000010
【図９】
0005972998.tif 000011
【図１０】
0005972998.tif 000012
【図１１Ａ】
0005972998.tif 000013
【図１１Ｂ】
0005972998.tif 000014
【図１１Ｃ】
0005972998.tif 000015
【図１１Ｄ】
0005972998.tif 000016
【図１２】
0005972998.tif 000017
【図１３】
0005972998.tif 000018
【図１４Ａ】
0005972998.tif 000019
【図１４Ｂ】
0005972998.tif 000020
【図１５】
0005972998.tif 000021
【図１６】
0005972998.tif 000022
【図１７】
0005972998.tif 000023
【図１８】
0005972998.tif 000024
【図１９】
0005972998.tif 000025